(57)【特許請求の範囲】
【請求項１】
外部の音を録音して音声ファイルとして保存する録音機能部と、
前記音に含まれる音声を音声テキスト（Speech To Text; STT）変換に基づいてテキストに変換する変換部と、
前記変換されたテキストから複数の核心キーワードを検出し、前記検出された複数の核心キーワードの少なくとも１つを前記音声ファイルのファイル名の少なくとも一部として設定し、前記変換されたテキストの少なくとも一部を前記設定されたファイル名と共に出力される文字列として設定する制御部とを含み、
前記制御部は、前記音声ファイルのリストの出力要求がある場合、前記音声ファイルのファイル名および前記設定された文字列を含む前記音声ファイルのリストを出力し、前記音声ファイルのリストが出力された状態で前記文字列がタッチされた場合、前記変換されたテキストのうち前記タッチされた文字列についての詳細内容に対応するテキストを出力することを特徴とする電子機器。
【請求項２】
前記制御部は、前記音声ファイルのリストの出力要求がある場合、前記変換されたテキストに基づいて生成された前記文字列をディスプレイ部に共に表示することを特徴とする請求項１に記載の電子機器。
【請求項３】
前記文字列は、前記ディスプレイ部にスクロールされて表示されることを特徴とする請求項２に記載の電子機器。
【請求項４】
前記文字列のスクロール表示は、前記文字列を画面の右から左に移動させて表示することを特徴とする請求項３に記載の電子機器。
【請求項５】
前記文字列を右から左に移動させることは、
前記画面に１行に表示できる文字の数だけ前記文字列を表示し、前記文字列を横方向に移動させて前記文字列の残りの文字を表示することであるか、又は、
前記文字列の最初の文字を前記画面の一側に表示して他側に移動させて前記文字列の残りの文字を連続的に表示することであることを特徴とする請求項４に記載の電子機器。
【請求項６】
前記制御部は、前記表示された文字列に対する制御命令が検出されると、前記音声テキスト変換に基づいて生成されたテキストを前記ディスプレイ部に表示することを特徴とする請求項２に記載の電子機器。
【請求項７】
前記ファイル名は、前記核心キーワードが含まれる文字列からなり、
前記制御部は、前記音声ファイルのリストの出力要求がある場合、ディスプレイ部に前記文字列をスクロールして出力することを特徴とする請求項１に記載の電子機器。
【請求項８】
前記制御部は、前記録音が終了すると、前記核心キーワードを前記ファイル名に設定し、前記ファイル名の編集は、前記録音の終了後に音声入力により行われることを特徴とする請求項１に記載の電子機器。
【請求項９】
前記制御部は、前記録音が終了すると、前記核心キーワードをディスプレイ部に出力し、
前記核心キーワードが出力された状態で入力される新しい音声により前記編集されたファイル名が決定されることを特徴とする請求項８に記載の電子機器。
【請求項１０】
前記制御部は、前記音声テキスト変換に基づいて生成されたテキストを、少なくとも一部が選択可能な状態でディスプレイ部に出力することを特徴とする請求項１に記載の電子機器。
【請求項１１】
使用者により選択される前記テキストの少なくとも一部は、前記音声ファイルの付加情報として保存されることを特徴とする請求項１０に記載の電子機器。
【請求項１２】
前記付加情報の出力要求がある場合、前記付加情報が前記ディスプレイ部にスクロールされて出力されることを特徴とする請求項１１に記載の電子機器。
【請求項１３】
前記電子機器は、携帯電話、電話機能を有する機器、電子時計、放送受信装置、ホームアプライアンスのいずれか１つであることを特徴とする請求項１に記載の電子機器。
【請求項１４】
電子機器で音声ファイルのリストを出力する方法において、
使用者の要求に応じて音声ファイルのリストを出力する動作モードに移行する段階と、
前記リストに含まれる各音声ファイルのファイル名および前記各音声ファイルに関連する文字列をディスプレイ部に表示する段階とを含み、
前記ファイル名及び前記文字列は、使用者の音声の音声テキスト（Speech To Text; STT）変換に基づいて生成されたものであり、
前記ファイル名は、前記音声テキスト変換により取得されたテキストから検出された複数の核心キーワードの少なくとも１つを含み、
前記文字列は、前記テキストの少なくとも一部を含み、前記文字列がタッチされると、前記テキストのうち前記タッチされた文字列についての詳細内容に対応するテキストが出力されることを特徴とする音声ファイルのリスト出力方法。
【請求項１５】
前記文字列は、スクロールされて表示され、
前記文字列のスクロール表示は、前記文字列を画面の右から左に移動させて表示することを特徴とする請求項１４に記載の音声ファイルのリスト出力方法。
【請求項１６】
前記音声は、音声テキスト変換に基づいてテキストに変換されることを特徴とする請求項１４に記載の音声ファイルのリスト出力方法。
【請求項１７】
前記詳細内容は、前記変換されたテキストの全体又は一部であることを特徴とする請求項１に記載の電子機器。
【請求項１８】
前記制御部は、前記タッチに基づいて、前記詳細内容と共に前記録音された音のうち前記詳細内容に対応する音声を出力することを特徴とする請求項１に記載の電子機器。
【発明の詳細な説明】
【技術分野】
【０００１】
本発明は、音声ファイルに関連するテキストを表示する方法及びこれを実現した電子機器に関する。
【背景技術】
【０００２】
様々な分野において情報化が急速に進展するにつれて、電子機器において情報を入出力する機能及びデータを保存する機能の重要性が強調されている。このような機能を備える電子機器は、端末機などの携帯型電子機器と、画像表示機器や冷蔵庫などの据置型電子機器に分けられる。
【０００３】
携帯型電子機器は、多機能化するにつれて、例えば写真や動画像の撮影、音楽や動画像ファイルの再生、ゲーム、放送受信などの複雑な機能を備えたマルチメディア機器の形で実現されている。また、このような複雑な機能は、使用者の利便性のために、据置型電子機器にも適用することができる。
【０００４】
近年、このような複雑な機能を実現するために、ハードウェア又はソフトウェアの面で様々な新しい試みがなされている。一例として、使用者に容易かつ便利に音声録音、音声ファイルの検索及び選択を行わせるためのユーザインタフェース環境が提供されている。
【発明の概要】
【発明が解決しようとする課題】
【０００５】
現在のユーザインタフェース環境で音声録音を行う場合、電子機器は各録音ファイルのファイル名、録音日時及び録音時間のみを表示する。しかし、電子機器がこのような方式でファイル名を表示した場合、使用者はファイル名だけではどのような内容が録音されたのか全く分からない。
【０００６】
本発明の目的は、使用者が音声ファイルを再生しなくても音声ファイルの内容が容易に分かる電子機器を提供することにある。
【０００７】
本発明の他の目的は、核心キーワードからなる文字列により使用者が音声ファイルの再生を簡単にコントロールすることのできる電子機器を提供することにある。
【課題を解決するための手段】
【０００８】
上記目的を達成するために、本発明は、外部の音を録音して音声ファイルとして保存する録音機能部と、音に含まれる音声を音声テキスト（Speech To Text; STT）変換に基づいてテキストに変換する変換部と、テキストから核心キーワードを検出し、検出された核心キーワードを音声ファイルのファイル名の少なくとも一部として設定する制御部とを含む、電子機器を提供する。
【０００９】
制御部は、音声ファイルのリストの出力要求がある場合、テキストに基づいて生成された文字列をディスプレイ部に表示するようにしてもよい。文字列は、ディスプレイ部にスクロールされて表示されてもよい。文字列のスクロール表示は、文字列を画面の右から左に移動させて表示するようにしてもよい。
【００１０】
文字列を右から左に移動させることは、画面に１行に表示できる文字の数だけ文字列を表示し、文字列を横方向に移動させて文字列の残りの文字を表示することでもよく、文字列の最初の文字を画面の一側に表示して他側に移動させて文字列の残りの文字を連続的に表示することでもよい。
【００１１】
文字列は、ディスプレイ部にファイル名と共に出力されてもよい。
制御部は、表示された文字列に対する制御命令が検出されると、文字列についての詳細内容をディスプレイ部に表示するようにしてもよい。
【００１２】
制御部は、表示された文字列に対する制御命令が検出されると、音声テキスト変換に基づいて生成されたテキストをディスプレイ部に表示するようにしてもよい。
【００１３】
ファイル名は、核心キーワードが含まれる文字列からなり、制御部は、音声ファイルのリストの出力要求がある場合、ディスプレイ部に文字列をスクロールして出力するようにしてもよい。
【００１４】
制御部は、録音が終了すると、核心キーワードをファイル名に設定し、ファイル名の編集は、録音の終了後に音声入力により行われるようにしてもよい。制御部は、録音が終了すると、核心キーワードをディスプレイ部に出力し、核心キーワードが出力された状態で入力される新しい音声により編集されたファイル名が決定されるようにしてもよい。
【００１５】
制御部は、音声テキスト変換に基づいて生成されたテキストを、少なくとも一部が選択可能な状態でディスプレイ部に出力するようにしてもよい。使用者により選択されるテキストの少なくとも一部は、音声ファイルの付加情報として保存されてもよい。付加情報の出力要求がある場合、付加情報がディスプレイ部にスクロールされて出力されてもよい。
【００１６】
電子機器は、携帯電話、電話機能を有する機器、電子時計、放送受信装置、ホームアプライアンスのいずれか１つであってもよい。
【００１７】
また、上記目的を達成するために、本発明は、電子機器で音声ファイルのリストを出力する方法において、使用者の要求に応じて音声ファイルのリストを出力する動作モードに移行する段階と、リストに含まれる各音声ファイルに関連する文字列をディスプレイ部に表示する段階とを含み、文字列は、使用者の音声の音声テキスト変換に基づいて生成されたものであり、文字列は、スクロールされて表示される、音声ファイルのリスト出力方法を提供する。
【００１８】
文字列のスクロール表示は、文字列を画面の右から左に移動させて表示するようにしてもよい。
【００１９】
文字列は、ディスプレイ部に音声ファイルのファイル名と共に出力されてもよい。
【００２０】
音声は、音声テキスト変換に基づいてテキストに変換され、ファイル名は、テキストから検出された核心キーワードを含むようにしてもよい。
【００２１】
さらに、上記目的を達成するために、本発明は、マイク、ディスプレイ部、及び制御部を備える電子機器において、制御部は、マイクから入力される使用者の音声を音声ファイルとして録音する録音アプリケーションを駆動する段階と、使用者の音声から変換生成されたテキストをディスプレイ部に出力するように、録音アプリケーションの駆動に連動して音声テキスト変換の実行アプリケーションを駆動する段階と、ディスプレイ部に出力されたテキストの内容のうちタッチ入力により指定されるキーワードを音声ファイルのファイル名の少なくとも一部として設定する段階とを行う、電子機器を提供する。
【００２２】
制御部は、音声ファイルの録音中にタッチ入力がなければ、テキストから核心キーワードを検出し、検出された核心キーワードを音声ファイルのファイル名の少なくとも一部として設定するようにしてもよい。
【００２３】
ファイル名は、キーワード又は核心キーワードが含まれる文字列からなり、制御部は、音声ファイルのリストの出力要求がある場合、ディスプレイ部に文字列をスクロールして出力するようにしてもよい。
【００２４】
音声テキスト変換の実行アプリケーションは、録音アプリケーションとは別に備えられ、録音アプリケーションは、録音時に音声テキスト変換の実行アプリケーションの駆動を選択できるようになっていてもよい。
【００２５】
録音アプリケーションの駆動時に音声テキスト変換の実行が録音アプリケーションの一機能として実現されるように、音声テキスト変換の実行アプリケーションが録音アプリケーションの一部として備えられてもよい。
【００２６】
さらに、上記目的を達成するために、本発明は、電子機器で音声メモを再生する方法において、使用者の要求に応じて、保存された音声メモの再生に関連する動作モードに移行する段階と、動作モードで電子機器の画面の少なくとも一部の領域に音声メモの再生時点に対応するテキストを表示する段階と、音声メモの再生時点を変更させる制御命令を感知する段階と、制御命令が感知されると、表示されたテキストを変更させる再生時点に対応するように変更して出力する段階とを含む、音声メモの再生方法を提供する。
【００２７】
テキストは、使用者の音声の音声テキスト変換に基づいて生成されたものであり、テキストは、音声メモの再生に連動してスクロールされて表示されるようにしてもよい。
【００２８】
再生時点の変更は、表示されたテキストのうち特定のテキストがタッチ入力により選択されることに連動するようにしてもよい。
【００２９】
電子機器の画面には、音声メモの時間情報を示すプログレスバーが表示され、音声メモの再生時点は、プログレスバーのタッチ地点に対応して変更されるようにしてもよい。
【００３０】
さらに、上記目的を達成するために、本発明は、受信される音声信号を音声ファイルとして保存する制御部と、受信される音声信号に対する音声テキスト変換ベースのテキストを表示するディスプレイ部と、音声信号の受信中に使用者からメモや特定の時点が入力される入力部とを含み、制御部は、音声ファイルと共にテキストが含まれるテキストファイルを保存し、音声ファイル及びテキストファイルには、それぞれメモや特定の時点が記録される、電子機器を提供する。
【００３１】
制御部は、特定の時点を記録するために、音声信号の受信中に特定のパターンが入力された時点を感知し、特定のパターンが入力された時点を示すインジケータをディスプレイ部が表示するように制御してもよい。
【００３２】
音声ファイルを再生する際に、入力部は、使用者から表示されたインジケータの選択が入力され、制御部は、使用者により選択されたインジケータに対応する時点から音声ファイルを再生するようにしてもよい。
【００３３】
特定のパターンの入力は、特定の領域のタッチ入力又は特定のキーボタンの選択入力であってもよい。
【００３４】
メモは、テキストファイルに記録され、特定の時点は、音声ファイルに記録されるようにしてもよい。
【発明の効果】
【００３５】
本発明によれば、電子機器、例えば移動端末機は、録音される音声に対して音声テキスト変換機能又はアルゴリズムを行い、テキスト、文字列又はスクリプトを取得し、その後、核心キーワードからなる文字列やファイル名を表示することができる。これにより、使用者は音声ファイルを再生しなくても音声ファイルの内容を容易に推測することができる。
【００３６】
また、本明細書によれば、文字列やファイル名に対する使用者のジェスチャーがあると、テキスト全体を出力することができる。これにより、音声内容のテキスト抽出を容易に行うことができる。
【００３７】
さらに、本明細書によれば、核心キーワード又は核心キーワードからなる文字列により、使用者が音声ファイルの再生を簡単にコントロールすることができる。
【図面の簡単な説明】
【００３８】
【図１】移動端末機で本発明により実現できる代表的な動作を示す概念図である。
【図２】本明細書に開示された実施形態による移動端末機の動作制御過程を示すフローチャートである。
【図３Ａ】本明細書に開示された第１実施形態による移動端末機の第１動作制御過程を示すフローチャートである。
【図３Ｂ】本明細書に開示された第１実施形態による移動端末機の第１動作制御過程を示す概念図である。
【図３Ｃ】本明細書に開示された第１実施形態による移動端末機の第１動作制御過程を示す概念図である。
【図３Ｄ】本明細書に開示された第１実施形態による移動端末機の第１動作制御過程を示す概念図である。
【図４Ａ】本明細書に開示された第１実施形態による移動端末機の第２動作制御過程を示すフローチャートである。
【図４Ｂ】本明細書に開示された第１実施形態による移動端末機の第２動作制御過程を示す概念図である。
【図４Ｃ】本明細書に開示された第１実施形態による移動端末機の第２動作制御過程を示すフローチャートである。
【図４Ｄ】本明細書に開示された第１実施形態による移動端末機の第２動作制御過程を示す概念図である。
【図５Ａ】本明細書に開示された第１実施形態による移動端末機の第３動作制御過程を示すフローチャートである。
【図５Ｂ】本明細書に開示された第１実施形態による移動端末機の第３動作制御過程を示す概念図である。
【図５Ｃ】本明細書に開示された第１実施形態による移動端末機の第３動作制御過程を示すフローチャートである。
【図５Ｄ】本明細書に開示された第１実施形態による移動端末機の第３動作制御過程を示す概念図である。
【図６Ａ】本明細書に開示された第２実施形態による移動端末機の動作制御過程を示すフローチャートである。
【図６Ｂ】本明細書に開示された第２実施形態による移動端末機の動作制御過程を示す概念図である。
【図６Ｃ】本明細書に開示された第２実施形態による移動端末機の動作制御過程を説明するための表である。
【図６Ｄ】本明細書に開示された第２実施形態による移動端末機の動作制御過程を説明するための表である。
【図６Ｅ】本明細書に開示された第２実施形態による移動端末機の動作制御過程を示す概念図である。
【図６Ｆ】本明細書に開示された第２実施形態による移動端末機の動作制御過程を示す概念図である。
【図６Ｇ】本明細書に開示された第２実施形態による移動端末機の動作制御過程を示す概念図である。
【図７Ａ】本明細書に開示された第２実施形態による移動端末機の動作制御過程を示すフローチャートである。
【図７Ｂ】本明細書に開示された第２実施形態による移動端末機の動作制御過程を示す概念図である。
【図７Ｃ】本明細書に開示された第２実施形態による移動端末機の動作制御過程を示す概念図である。
【図７Ｄ】本明細書に開示された第２実施形態による移動端末機の動作制御過程を示す概念図である。
【図７Ｅ】本明細書に開示された第２実施形態による移動端末機の動作制御過程を示す概念図である。
【図８Ａ】本明細書に開示された第３実施形態による移動端末機の動作制御過程を示すフローチャートである。
【図８Ｂ】本明細書に開示された第３実施形態による移動端末機の動作制御過程を示す概念図である。
【図８Ｃ】本明細書に開示された第３実施形態による移動端末機の動作制御過程を示す概念図である。
【図８Ｄ】本明細書に開示された第３実施形態による移動端末機の動作制御過程を示す概念図である。
【図８Ｅ】本明細書に開示された第３実施形態による移動端末機の動作制御過程を示す概念図である。
【図８Ｆ】本明細書に開示された第３実施形態による移動端末機の動作制御過程を示す概念図である。
【図８Ｇ】本明細書に開示された第３実施形態による移動端末機の動作制御過程を示す概念図である。
【図８Ｈ】本明細書に開示された第３実施形態による移動端末機の動作制御過程を示す概念図である。
【図８Ｉ】本明細書に開示された第３実施形態による移動端末機の動作制御過程を示す概念図である。
【図８Ｊ】本明細書に開示された第３実施形態による移動端末機の動作制御過程を示す概念図である。
【図９Ａ】本明細書に開示された第４実施形態による移動端末機の動作制御過程を示すフローチャートである。
【図９Ｂ】本明細書に開示された第４実施形態による移動端末機の動作制御過程を示すフローチャートである。
【図９Ｃ】本明細書に開示された第４実施形態による移動端末機の動作制御過程を示す概念図である。
【図９Ｄ】本明細書に開示された第４実施形態による移動端末機の動作制御過程を示すフローチャートである。
【図９Ｅ】本明細書に開示された第４実施形態による移動端末機の動作制御過程を示すフローチャートである。
【図９Ｆ】本明細書に開示された第４実施形態による移動端末機の動作制御過程を示す概念図である。
【図１０Ａ】本明細書に開示された第４実施形態による移動端末機の動作制御過程を示すフローチャートである。
【図１０Ｂ】本明細書に開示された第４実施形態による移動端末機の動作制御過程を示す概念図である。
【図１１Ａ】本明細書に開示された第５実施形態による移動端末機の動作制御過程を示すフローチャートである。
【図１１Ｂ】本明細書に開示された第５実施形態による移動端末機の動作制御過程を示す概念図である。
【図１１Ｃ】本明細書に開示された第５実施形態による移動端末機の動作制御過程を示す概念図である。
【図１２Ａ】本明細書に開示された第６実施形態による移動端末機の動作制御過程を示すフローチャートである。
【図１２Ｂ】本明細書に開示された第６実施形態による移動端末機の動作制御過程を示す概念図である。
【図１２Ｃ】本明細書に開示された第６実施形態による移動端末機の動作制御過程を示すフローチャートである。
【図１２Ｄ】本明細書に開示された第６実施形態による移動端末機の動作制御過程を示す概念図である。
【図１２Ｅ】本明細書に開示された第６実施形態による移動端末機の動作制御過程を示す概念図である。
【図１２Ｆ】本明細書に開示された第６実施形態による移動端末機の動作制御過程を示す概念図である。
【図１２Ｇ】本明細書に開示された第６実施形態による移動端末機の動作制御過程を示す概念図である。
【図１３Ａ】本明細書に開示された第７実施形態による移動端末機の動作制御過程を示すフローチャートである。
【図１３Ｂ】本明細書に開示された第７実施形態による移動端末機の動作制御過程を示す概念図である。
【図１３Ｃ】本明細書に開示された第７実施形態による移動端末機の動作制御過程を示す概念図である。
【図１４】本発明の一実施形態による移動端末機の構成を示すブロック図である。
【図１５】本発明の一実施形態による画像表示機器の構成を示すブロック図である。
【図１６】本発明の一実施形態による電子機器が冷蔵庫である場合、冷蔵庫に含まれるディスプレイ制御部及び本体制御部を示すブロック図である。
【発明を実施するための形態】
【００３９】
本明細書で使用される技術用語は、単に特定の実施形態を説明するために使用されるものであり、本発明を限定するものではない。また、本明細書で使用される技術用語は、本明細書において特に断らない限り、本発明の属する技術の分野における通常の知識を有する者に一般的に理解される意味で解釈されるべきであり、非常に包括的な意味で解釈されたり、非常に狭い意味で解釈されたりしてはならない。さらに、本明細書で使用される技術用語が本発明の思想を正確に表現できない間違った技術用語である場合は、当業者が正しく理解できる技術用語で代替して理解すべきである。さらに、本発明で使用される一般的な用語は、辞書の定義に従って、又は前後の文脈によって解釈されなければならず、非常に狭い意味で解釈されてはならない。
【００４０】
そして、本明細書で使用される単数の表現は、特に断らない限り、複数の表現を含む。本出願において、「構成される」や「含む」などの用語は、明細書に記載された様々な構成要素又は段階の全てを必ず含むものと解釈されてはならず、そのうち、一部の構成要素又は段階を含まないこともあり、追加の構成要素又は段階をさらに含むこともあるものと解釈されるべきである。
【００４１】
また、本明細書で使用される構成要素の接尾辞である「モジュール」及び「部」は、明細書の作成を容易にするために付与又は混用されるものであり、それ自体が有意性や有用性を有するものではない。
【００４２】
さらに、本明細書で使用される第１、第２などのように序数を含む用語は様々な構成要素を説明するために使用されるが、構成要素は用語により限定されるものではない。用語は１つの構成要素を他の構成要素と区別する目的でのみ使用される。例えば、本発明の権利範囲から外れない限り、第１構成要素は第２構成要素と命名してもよく、同様に、第２構成要素は第１構成要素と命名してもよい。
【００４３】
以下、添付図面を参照して本発明の好ましい実施形態を詳細に説明するが、図面番号に関係なく同一又は類似の構成要素には同一の符号を付して重複する説明は省略する。また、本発明を説明するにあたって、関連する公知技術についての具体的な説明が本発明の要旨を不明にすると判断される場合は、その詳細な説明を省略する。なお、添付図面は本発明の思想を容易に理解できるようにするためのものにすぎず、添付図面により本発明の思想が制限されるように解釈されてはならないことに留意すべきである。
【００４４】
本明細書で説明される携帯型電子機器には、携帯電話、スマートフォン、ノートパソコン、デジタル放送端末機、ＰＤＡ（Personal Digital Assistants）、ＰＭＰ（Portable Multimedia Player）、ナビゲーション、スレートＰＣ、タブレットＰＣ、Ｕｌｔｒａｂｏｏｋなどが含まれる。以下、本発明の様々な実施形態を携帯電話やスマートフォンなどの移動端末機に基づいて説明するが、移動端末機に適用される機能は、ＰＭＰなどのように通信網を使用しない携帯型電子機器や、デジタルテレビ、デスクトップコンピュータ、冷蔵庫、プロジェクタなどの据置型電子機器にも適用することができる。
【００４５】
図１は移動端末機で本発明により実現できる代表的な動作を示す概念図である。
移動端末機１００は、使用者の要求に応じて録音アプリケーションを駆動する。このために、移動端末機１００の保存部には、録音アプリケーションを含む複数のアプリケーションが保存される。図１を参照すると、録音アプリケーションの駆動により、ディスプレイ部１５１には、録音アプリケーションのグラフィックユーザインタフェース（ＧＵＩ）が出力される。また、移動端末機１００は、録音アプリケーションを用いて、外部の音を音声ファイルとして録音する。
【００４６】
この場合、録音アプリケーションの駆動と共に音声テキスト変換の実行アプリケーションが駆動されるようにしてもよい。他の例として、録音アプリケーションの駆動時に音声テキスト変換を実行するかの選択の入力を受けるアイコンがポップアップするようにしてもよい。また、図示していないが、音声テキスト変換により変換されたテキストが録音の進行に連動してディスプレイ部１５１に出力されるようにしてもよい。
【００４７】
図１に示すように、録音が終了すると、移動端末機１００は、音声ファイル内の音声から変換生成されたテキストに基づいて音声ファイルのファイル名を付与する。例えば、音声が音声テキスト変換機能又はアルゴリズムによりテキストに変換され、変換されたテキストから核心キーワードが検出され、検出された核心キーワードが音声ファイルのファイル名として付与される。このような過程によりファイル名が付与された場合、使用者は保存された音声ファイルを再生しなくても音声ファイルの内容を容易に推測することができる。
【００４８】
このようにファイル名が付与される音声ファイルは録音、保存、再生などの一連のプロセスに関連するので、以下、一連のプロセスを実施形態に分けて具体的に説明する。なお、変換されたテキストを用いてファイル名を付与する過程は、一実施形態で詳細に説明する。
【００４９】
図２は本明細書に開示された実施形態による移動端末機の動作制御過程を示すフローチャートである。
【００５０】
移動端末機１００は、音声メモを開始するステップ（Ｓ１００）と、音声メモを行うステップ（Ｓ２００）と、音声メモを終了するステップ（Ｓ３００）とを行う。音声メモを行うステップ（Ｓ２００）については、図３Ａ〜図５Ｄを参照して本明細書に開示された第１実施形態で説明する。
【００５１】
また、移動端末機１００は、音声メモが終了する（Ｓ３００）と、ファイル名を付与するステップ（Ｓ４００）と、ファイル名を修正するステップ（Ｓ５００）とを行う。ファイル名を付与するステップ（Ｓ４００）については、図６Ａ〜図６Ｇを参照し、ファイル名を修正するステップ（Ｓ５００）については、図７Ａ〜図７Ｅを参照して、本明細書に開示された第２実施形態で説明する。
【００５２】
さらに、移動端末機１００は、ファイルリストにアクセスするステップ（Ｓ６００）を行う。ファイルリストにアクセスするステップ（Ｓ６００）については、図８Ａ〜図８Ｊを参照して本明細書に開示された第３実施形態で説明する。
【００５３】
さらに、移動端末機１００は、ファイル内容を検索するステップ（Ｓ７００）と、ファイル内容を編集するステップ（Ｓ８００）とを行う。ファイル内容を編集するステップ（Ｓ８００）については、図９Ａ〜図１０Ｂを参照して本明細書に開示された第４実施形態で説明する。ファイル内容を検索するステップ（Ｓ７００）については、図１１Ａ〜図１１Ｃを参照して本明細書に開示された第５実施形態で説明し、図１２Ａ〜図１２Ｇを参照して本明細書に開示された第６実施形態で説明し、また、図１３Ａ〜図１３Ｃを参照して本明細書に開示された第７実施形態で説明する。
【００５４】
一般に、音声録音過程は、音声録音を開始すると、アナログ音声をデジタルデータに変換してバッファに保存し、音声録音を終了すると、バッファに保存されたデジタルデータを用いて音声ファイルを生成してメモリに保存する過程からなる。しかし、場合によっては、使用者が録音中に（音声録音が終了する前に）録音される音声の制御を希望することもある。以下に説明される第１実施形態は、このように録音中に録音される音声を制御する動作に関するものであり、様々な動作例を含む。
【００５５】
まず、第１動作制御過程について図３Ａ〜図３Ｄを参照して説明する。図３Ａ〜図３Ｄは本明細書に開示された第１実施形態による移動端末機の第１動作制御過程を示す図である。
【００５６】
音声録音中に、前時点（例えば数秒前や数分前など）で行われた音声録音の内容を確認しなければならないことがある。このために、使用者は、現在行われている音声録音を終了して生成された音声ファイルを再生することにより、所望の内容を確認する。しかし、このように音声録音を終了して生成された音声ファイルを再生した後に再び録音を開始することは、面倒なだけでなく、非常に非効率的である。
【００５７】
本明細書に開示された第１実施形態の第１動作制御過程は、音声録音中に使用者が前時点の録音音声をリアルタイムで確認しながらも、音声録音を中断しないようにする方法に関する。
【００５８】
図３Ａは移動端末機１００が音声録音中に録音された内容を再生する過程を示すフローチャートであり、図３Ｂ〜図３Ｄは移動端末機１００が音声録音中に録音された内容を再生する過程を示す概念図である。
【００５９】
図３Ａを参照すると、メモリ１６０（図１４参照）は、例えばマイク１２２（図１４参照）から入力される音声信号を保存する（Ｓ１１１０）。制御部１８０（図１４参照）は、入力される音声信号をデジタルに変換してメモリ１６０の所定領域、例えばバッファに保存してもよい。また、制御部１８０は、保存される音声信号の時間情報を保存してもよい。時間情報は、音声録音を開始してから該当音声信号が入力又は保存されるまでの経過時間に関する情報を含む。
【００６０】
移動端末機１００が入力される音声信号をテキストに変換する場合、制御部１８０は、例えば音声テキスト変換機能又はアルゴリズムにより、入力される音声信号をテキストに変換してもよい。制御部１８０は、変換されたテキストをメモリ１６０に保存してもよい。この場合、音声テキスト変換の実行アプリケーションが録音アプリケーションと連動して駆動されるようにしてもよい。
【００６１】
音声信号を保存する際に、ディスプレイ部１５１（図１４参照）は、音声信号が保存される進行状態を示す項目を表示する（Ｓ１１２０）。進行状態を示す項目は、プログレスバーであってもよい。プログレスバーは、全録音量のうちの現時点を示すインジケータを含む。全録音量が分からない場合、現時点を示すインジケータは、プログレスバーの中間に表示される。プログレスバーは、全録音時間（例えば５分）のうちの現在の録音時間（例えば３分）を視覚的に示す。
【００６２】
より具体的には、例えば、図３Ｂの（ａ）を参照すると、制御部１８０は、音声録音機能の実行が要求されると、例えば使用者の入力により音声録音機能が実行されると、ディスプレイ部１５１に音声録音画面を表示させる。音声録音画面は、機能実行状態を示すインジケータ１１０２と、録音進行状態を示すプログレスバー１１０４とを含む。機能実行状態を示すインジケータ１１０２は、例えば「録音中」や「再生中」のように、現在の機能実行状態を反映する。
【００６３】
プログレスバー１１０４は、録音進行状態を示すために、録音開始時点を示すインジケータ１１０６と、現在の録音時点を示すインジケータ１１０８とを含み、ディスプレイ部１５１は、プログレスバー１１０４と共に、現在の録音時点を示す時間情報１１１２を表示する。
【００６４】
次の段階として、図３Ａ及び図３Ｂを参照すると、ユーザ入力部１３０（図１４参照）は、使用者から進行状態を示す項目のうち所定部分の選択入力を受信する（Ｓ１１３０）。例えば、ユーザ入力部１３０は、音声信号の入力中に進行状態を示す項目のうち所定部分の選択入力を受信する。
【００６５】
このために、移動端末機１００は、前時点の再生命令が受信されるか否かをモニタする。前時点の再生命令は、使用者がプログレスバー１１０４において現時点以前の時点に該当する特定の時点を選択する命令であってもよい。また、前時点の再生命令は、１０秒前や１分前のように現時点から特定の時間だけ前の時点を選択する命令であってもよい。
【００６６】
このような選択命令の例として、使用者は、プログレスバー１１０４において現在の録音時点以前の時点のいずれか１つをタッチしてもよく、録音開始時点を示すインジケータ１１０６又は現在の録音時点を示すインジケータ１１０８を現在の録音時点以前の時点のいずれか１つにドラッグしてもよい。この場合、ディスプレイ部１５１は、選択された時点（再生時点）を示す他のインジケータ１１１０をプログレスバー１１０４に表示するようにしてもよい。
【００６７】
次の段階として、図３Ａを参照すると、制御部１８０は、選択された部分（又は選択された文字列）に対応する音声信号を再生する（Ｓ１１４０）。制御部１８０が音声信号を再生することにより、選択された部分に対応する音声信号は、イヤホン、スピーカ、レシーバにより聴覚的に出力されたり、その音声から変換されたテキストがディスプレイ部１５１に出力されるようにしてもよい。また、ディスプレイ部１５１は、選択された部分に対応する音声信号の時間情報を表示するようにしてもよい。
【００６８】
例えば、図３Ｂの（ｂ）のように、現在の録音時点以前の時点が選択されると、制御部１８０は、録音された音声を選択された時点から再生する。また、ディスプレイ部１５１は、録音と再生が同時に行われていることを示すように、機能実行状態を示すインジケータ１１０２を「録音及び再生中」のように変更する。さらに、ディスプレイ部１５１においては、選択された時点（再生時点）を示すインジケータ１１１０が、プログレスバー１１０４において再生時点を反映するように再生時間に応じて移動する。さらに、ディスプレイ部１５１は、プログレスバー１１０４と共に、再生時点を示す時間情報１１１４を表示する。
【００６９】
他の例として、図３Ｃの（ａ）のように、使用者により現在の録音時点以前の時点が選択されると、図３Ｃの（ｂ）のように、ディスプレイ部１５１は、録音された音声から変換されたテキスト１１１８を選択された時点から表示する。
【００７０】
一方、制御部１８０は、録音された音声を選択された時点から再生しながらも、現在進行中の音声録音を中断しない。すなわち、制御部１８０は、現時点の音声を録音すると同時に前時点の録音された音声を再生し、メモリ１６０は、選択された部分に対応する音声信号が再生される間入力される音声信号を保存し続ける。よって、移動端末機１００は、音声録音終了命令が受信されるか否かをモニタし、音声録音終了命令を受信すると音声録音を終了する。
【００７１】
さらに他の例として、図３Ｄを参照すると、移動端末機１００は、録音される音声をリアルタイムで音声テキスト変換し、変換されたテキストをディスプレイ部１５１に出力する。例えば、図３Ｄの（ａ）のように、ディスプレイ部１５１は、録音開始から現時点までに入力された音声信号に対する音声テキスト変換ベースのテキストを表示するようにしてもよい。
【００７２】
ただし、本発明はこれに限定されるものではない。例えば、制御部１８０は、所定時間前から現時点までに入力された音声信号に対する音声テキスト変換ベースのテキストを表示させてもよく、録音開始から現時点までに入力された音声信号に対する音声テキスト変換ベースのテキストのうち特定単位（例えば段落）毎に代表文字列を表示させてもよい。また、ディスプレイ部１５１は、保存される音声信号に対する音声テキスト変換ベースのテキストと共に、音声信号が保存される進行状態を示す項目を表示するようにしてもよい。
【００７３】
この場合、図３Ｄの（ｂ）のように、出力されるテキストはスクロールが可能であり、従って、使用者は録音中に所望の部分を検索することができる。また、ユーザ入力部１３０は、ディスプレイ部１５１に表示された音声テキスト変換ベースのテキストの一部の文字列又はキーワードの選択入力を受けることができるように形成される。選択された文字列又はキーワードは、ファイル名やブックマークなどの設定に用いることができ、これについては後述する。
【００７４】
前述した第１実施形態の第１動作制御過程によれば、使用者が音声録音中に音声録音を中断することなく前の録音内容を簡単に確認することができる。また、プログレスバー又はテキストを用いた直観的なユーザインタフェースにより、使用者が録音と再生を同時にコントロールすることができる。
【００７５】
図４Ａ〜図４Ｄは本明細書に開示された第１実施形態による移動端末機の第２動作制御過程を示す図である。
【００７６】
一般に、使用者には音声録音過程で特に記憶したい部分又は強調したい部分がある。しかし、音声ファイルの内容を検索する過程は、画像ファイルの内容を検索する過程より直観的でないため（聴覚の特性上、視覚より直観的でないため）、後で該当部分を検索することは難しい。また、記憶したい部分又は強調したい部分の録音時間を予めメモしておいて後で検索するのも面倒である。
【００７７】
本明細書に開示された第１実施形態の第２動作制御過程は、音声録音中に使用者が記憶したい部分又は強調したい部分で瞬間的に加えることのできる慣れたパターンの入力により特定の時点を記録する方法に関する。
【００７８】
図４Ａは移動端末機１００が音声録音中に特定の時点を記録する過程を示すフローチャートであり、図４Ｂは図４Ａの過程を示す概念図である。図４Ｃは移動端末機１００が音声録音中に記録された特定の時点から音声データを再生する過程を示すフローチャートであり、図４Ｄは図４Ｃの過程を示す概念図である。
【００７９】
図４Ａを参照すると、移動端末機１００が音声録音を開始すると、制御部１８０は、入力される音声信号を変換して音声データとして保存する（Ｓ１２１０）。このとき、ディスプレイ部１５１は、録音進行状態を示すプログレスバーを表示するようにしてもよい。また、プログレスバーは、全録音量のうちの現時点を示すインジケータを含んでもよい。全録音量が分からない場合、現時点を示すインジケータは、プログレスバーの中間に表示されるようにしてもよい。
【００８０】
また、ディスプレイ部１５１は、入力される音声信号に対する音声テキスト変換ベースのテキストを表示するようにしてもよい。例えば、ディスプレイ部１５１は、録音開始から現時点までに入力された音声信号に対する音声テキスト変換ベースのテキストを表示するようにしてもよく、所定時間前から現時点までに入力された音声信号に対する音声テキスト変換ベースのテキストを表示するようにしてもよく、録音開始から現時点までに入力された音声信号に対する音声テキスト変換ベースのテキストのうち特定単位（例えば段落）毎に代表文字列を表示するようにしてもよい。
【００８１】
図４Ｂを参照すると、移動端末機１００は、使用者の入力により音声録音機能を実行し、音声録音画面を表示する。音声録音画面は、機能実行状態を示すインジケータ１２０２と、録音進行状態を示すプログレスバー１２０４とを含む。機能実行状態を示すインジケータ１２０２は、例えば「録音中」のように、現在の機能実行状態を反映する。
【００８２】
プログレスバー１２０４は、録音進行状態を示すために、録音開始時点を示すインジケータ１２０６と、現在の録音時点を示すインジケータ１２０８とを含み、電子機器、例えば移動端末機１００は、プログレスバー１２０４と共に、現在の録音時点を示す時間情報１２１０を表示する。
【００８３】
さらに図４Ａを参照すると、入力部（例えば、マイク１２２、ユーザ入力部１３０、感知部１４０（図１４参照）など）は、音声信号の入力中に所定パターンの入力を受信する（Ｓ１２２０）。入力部は、特定の領域又はボタンの入力を感知するタッチセンサ、キーパッド、触覚センサ、加速度センサ、ジャイロセンサ、マイクのいずれか１つにより、所定パターンの入力を受信する。
【００８４】
所定パターンの入力は、例えば、特定の領域のタッチ入力、特定のキーボタンへの入力（プッシュボタンへのプッシュ又はタッチキーへのタッチ）、特定の領域での触覚の変化、移動端末機の加速度の変化、移動端末機の角速度の変化、特定の音声コマンドの強さ又は高さが閾値以上の音声であってもよい。代案として、入力部は、ディスプレイ部１５１に表示された音声テキスト変換ベースのテキストの一部の選択入力を受信するようにしてもよい。
【００８５】
所定パターンの入力の例として、図４Ｂの（ａ）を参照すると、移動端末機１００は、音声録音中に移動端末機１００の画面１２１２の特定の領域がタッチされることを感知するようにしてもよい。
【００８６】
図示していないが、代案として、制御部１８０は、ディスプレイ部１５１に表示された音声テキスト変換ベースのテキストから選択されたテキストの一部の地点、又はテキストの一部の地点を基準とする一部の区間を音声データの録音情報に記録するようにしてもよい。移動端末機１００は、録音される音声をリアルタイムで音声テキスト変換し、変換されたテキストをディスプレイ部１５１に出力するようにしてもよい。この場合、出力されるテキストから文字列又はキーワードを選択できるようにする。例えば、所望のキーワードにタッチ入力を加えることにより、タッチされたキーワードの地点が音声データの録音情報に記録されるようにしてもよい。
【００８７】
さらに図４Ａを参照すると、制御部１８０は、音声データの録音情報に特定のパターンが入力された時点を反映する（Ｓ１２３０）。移動端末機１００は、音声録音と共に、入力が受信された時点を保存するようにしてもよい。
【００８８】
また、制御部１８０は、音声データ及び音声データの録音情報を、１つのファイルとして生成してメモリ１６０に保存してもよく、それぞれ別のファイルとして生成してメモリ１６０に保存してもよい。音声データ及び音声データの録音情報が１つのファイルとして生成される場合、録音情報は音声ファイルのメタデータとなり、音声データは音声ファイルのボディに含まれる。音声データ及び音声データの録音情報が別のファイルとして生成される場合、音声データが保存されたファイルを再生する際に、録音情報が保存されたファイルを参照して再生する。
【００８９】
図４Ｂの（ｂ）を参照すると、移動端末機１００は、プログレスバー１２０４に、所定パターンが入力された時点を示すインジケータ１２１４を表示するようにしてもよい。また、移動端末機１００は、プログレスバー１２０４に、所定パターンが入力された時点を示すインジケータ１２１４を表示する代わりに、所定パターンの入力が受信された時点が記録されたことを示すインジケータを出力するようにしてもよい。この場合、移動端末機１００は、所定パターンの入力が受信された時点が記録されたことを示すインジケータを視覚的、聴覚的、又は触覚的に出力する。
【００９０】
移動端末機１００は、音声（又は音声信号）の受信中に特定の時点以外でも使用者からメモの入力を受けることができるようにしてもよい。また、制御部１８０は、音声ファイルと共に音声テキスト変換ベースのテキストが含まれるテキストファイルを保存することができるが、この場合、音声ファイル及びテキストファイルにはそれぞれメモや特定の時点が記録されるようにしてもよい。他の例として、テキストファイルにはメモが記録され、音声ファイルには特定の時点が記録されるようにしてもよい。
【００９１】
このように、録音中に特定の時点の記録が行われた場合、録音が終了して保存された音声ファイルは、特定の時点に関する情報を使用者に示すようにする。以下、このような動作についてより具体的に説明する。
【００９２】
図４Ｃを参照すると、制御部１８０は、図４Ａに示すステップＳ１２１０〜Ｓ１２３０により保存された音声データに対するアクセス要求がある場合、要求された音声データの録音情報から特定のパターンが入力された時点を取得する（Ｓ１２４０）。
【００９３】
次に、制御部１８０は、取得した特定のパターンが入力された時点を示すインジケータをディスプレイ部１５１が表示するように制御する（Ｓ１２５０）。このとき、ディスプレイ部１５１は、音声データの再生状態を示すプログレスバーにインジケータを表示する。
【００９４】
図４Ｄの（ａ）を参照すると、移動端末機１００は、音声データ再生機能の実行が要求されると、例えば使用者の入力により音声データ再生機能が実行されると、音声データ再生機能を実行して音声データ再生画面を表示する。音声データ再生画面は、機能実行状態を示すインジケータ１２０２と、再生状態を示すプログレスバー１２０４とを含む。機能実行状態を示すインジケータ１２０２は、例えば「再生中」のように、現在の機能実行状態を反映する。
【００９５】
プログレスバー１２０４は、再生状態を示すために、再生開始時点を示すインジケータ１２０６と、少なくとも１つの所定パターンの入力が受信された時点を示すインジケータ１２１４〜１２１８と、現在の再生時点を示すインジケータ１２０８とを含み、移動端末機１００は、プログレスバー１２０４と共に、全再生時間を示す時間情報１２１０を表示する。
【００９６】
さらに図４Ｃを参照すると、ユーザ入力部１３０は、使用者からディスプレイ部１５１に表示されたインジケータを選択する入力を受信する（Ｓ１２６０）。次に、制御部１８０は、使用者により選択されたインジケータに対応する時点又は対応する時点の文章の冒頭から音声データを再生する（Ｓ１２７０）。
【００９７】
図４Ｄの（ｂ）を参照すると、移動端末機１００は、プログレスバー１２０４において少なくとも１つの所定パターンの入力が受信された時点を示すインジケータ１２１４〜１２１８のいずれか１つのインジケータ１２１４を選択する入力を受信する。移動端末機１００は、選択されたインジケータ１２１４に対応する時点から音声データを再生する。この場合、現在の再生時点を示すインジケータ１２０８は、選択された時点を示すインジケータとなり得る。
【００９８】
また、音声ファイルの録音中にメモの入力を行える実施形態により、メモ入力があった場合は、音声ファイルの再生中にメモが出力されるようにしてもよい。例えば、音声ファイルの再生中にメモが記録された地点に至ると、メモがテキストとしてディスプレイ部に出力されるようにしてもよい。また、この場合は、所定パターンの入力が受信された時点を示すインジケータ１２１４〜１２１８と共に、メモが入力された時点を示す他のインジケータ（図示せず）を表示させてもよい。
【００９９】
このように、本明細書に開示された第１実施形態によれば、使用者が音声録音中に特定の時点を容易に記録することができる。これにより、検索の容易性を提供することができる。
【０１００】
図５Ａ〜図５Ｄは本明細書に開示された第１実施形態による移動端末機の第３動作制御過程を示す図である。
【０１０１】
一般に、タッチスクリーンを備えた移動端末機１００は、スタイラスや指を用いる手書き機能を提供する。ここで、手書きとは使用者が講義、講演、演説などの内容を記録する行為であり、移動端末機１００などの電子機器はタッチされた地点を保存することにより手書き機能を提供する。しかし、使用者が講義、講演、演説などの内容を記録すると同時に音声を録音する場合、手書きファイルと音声録音ファイルが別に管理されるので、後でその講義、講演、演説などの内容を確認しようとする際にそれぞれのファイルを呼び出さなければならず、面倒であった。
【０１０２】
本明細書に開示された第１実施形態の第３動作制御過程は、手書きと音声を同期化して保存することにより、後でその内容を同時に簡単に確認できるようにする方法に関する。
【０１０３】
図５Ａは移動端末機１００が手書き記録中に音声録音を同期化する過程を示すフローチャートであり、図５Ｂは図５Ａの過程を示す概念図である。
【０１０４】
図５Ａを参照すると、まず、電子機器、例えば移動端末機１００は、手書き記録を開始し（Ｓ１３１０）、音声録音命令が受信されるか否かを確認する（Ｓ１３２０）。
【０１０５】
音声録音命令が受信されると、移動端末機１００は、手書き記録終了命令が受信される（Ｓ１３４０）まで、手書き記録に同期化して音声録音を行う（Ｓ１３３０）。手書き記録終了命令が受信されると、移動端末機１００は、手書き記録を終了する（Ｓ１３５０）。
【０１０６】
具体的な例として、図５Ｂを参照すると、移動端末機１００は、手書き記録機能の実行が要求されると、例えば使用者の入力により手書き記録機能が実行されると、手書き記録画面を表示する。
【０１０７】
手書き記録画面は、手書きで入力される領域１３０２と、音声録音メニュー１３０４とを含む。手書きで入力される領域１３０２は、使用者がスタイラスペンや指などを用いてタッチする位置を表示する。これにより、手書きで入力される領域１３０２に手書き内容１３０６が表示される。
【０１０８】
手書きが行われている間に使用者が音声録音メニュー１３０４を選択すると、移動端末機１００は、使用者の音声１３０８を手書きの進行時点に同期化して録音する。
使用者の音声１３０８を手書きの進行時点に同期化して録音する方法は様々である。移動端末機１００は、手書きが行われる時点にリアルタイムで対応するように使用者の音声１３０８を録音してもよく、手書きの単位、例えば各ページに対応するように使用者の音声１３０８を録音してもよい。
【０１０９】
図５Ｃは移動端末機１００が手書き記録の再生中に手書き記録に同期化した録音音声を再生する過程を示すフローチャートであり、図５Ｄは図５Ｃの過程を示す概念図である。
【０１１０】
図５Ｃを参照すると、移動端末機１００は、手書き記録の再生を開始し（Ｓ１３７０）、録音音声再生命令が受信されるか否かを確認する（Ｓ１３８０）。
【０１１１】
録音音声再生命令が受信されると、移動端末機１００は、再生中の手書き記録に同期化した録音音声を再生する（Ｓ１３９０）。それに対して、録音音声再生命令が受信されないと、移動端末機１００は、録音音声は再生せず、手書き記録のみを再生する（Ｓ１３９５）。
【０１１２】
図５Ｄを参照すると、移動端末機１００は、手書き記録再生機能の実行が要求されると、例えば使用者の入力により手書き記録再生機能が実行されると、手書き記録再生機能を実行して手書き記録再生画面を表示する。手書き記録再生画面は、手書きが再生される領域１３１０と、再生メニュー１３１２とを含む。
【０１１３】
再生メニュー１３１２が選択されると、移動端末機１００は、手書きが再生される領域１３１０に、使用者がスタイラスペンや指などを用いて記録した手書き内容１３１４をリアルタイムで又は手書き単位（例えばページ単位）で表示する。この場合、移動端末機１００は、手書き内容１３１４に同期化して保存された録音音声１３１６、すなわち使用者が手書き内容１３１４を記録するときに話した音声を再生する。
【０１１４】
このように、本明細書に開示された第１実施形態によれば、手書きと音声を同期化して保存することにより、使用者がその内容を一度に簡単に確認することができる。これにより、教育の効率性を高めることができる。
【０１１５】
本発明の移動端末機は、変換されたテキストを用いてファイル名を付与するように構成される。以下、ファイル名の付与に関する過程を第２実施形態として詳細に説明する。
図６Ａは録音された音声ファイルのファイル名を本発明の第２実施形態により音声テキスト変換ベースのテキストに基づいて自動で付与する方法を示すフローチャートである。
図６Ａに示すように、本発明の第２実施形態によれば、移動端末機は、録音される音声又は録音された音声に対して音声テキスト変換機能又はアルゴリズムを行い、テキスト、文字列又はスクリプトを取得する。また、本発明の移動端末機は、使用者から音声ファイルのリストに対するアクセス要求を受信すると、テキスト、文字列又はスクリプトをディスプレイ部に表示する。具体的に説明すると次の通りである。
【０１１６】
まず、音声録音を開始する（Ｓ２１１０）。音声録音を開始すると、リアルタイムで入力される音声データをバッファに保存する。バッファは、処理速度が速い媒体、例えば揮発性メモリであってもよい。また、バッファは、電子機器、例えば移動端末機の内蔵メモリであってもよい。
【０１１７】
ここで、バッファに保存された音声データは、所定の周期で音声一時ファイルとして保存される。音声一時ファイルは、処理速度が速い媒体、例えば揮発性メモリに保存される。音声一時ファイルには、ランダムに番号が付与されてもよく、所定の規則に従って一時ファイル名が付与されてもよい。
【０１１８】
次に、リアルタイム音声テキスト変換を行い、テキスト、文字列又はスクリプトを取得する（Ｓ２１２０）。音声テキスト変換は、前述したように、音声から単語（例えば、主語や述語、又は名詞や動詞）を認識し、認識した単語を配列してテキスト、文字列又はスクリプトを生成することでもよい。
【０１１９】
音声録音が終了すると（Ｓ２１３０）、音声ファイルが生成される（Ｓ２１４０）。音声ファイルは、音声一時ファイルに基づいて生成される。例えば、音声ファイルは保存容量が大きい媒体に保存されるが、保存容量が大きい媒体は低速であり得る。よって、音声ファイルは、処理速度が速い媒体に保存された音声一時ファイルを保存容量が大きい媒体に移動させ、それに基づいて保存容量が大きい媒体に生成されるようにしてもよい。
【０１２０】
この場合、音声ファイルと共にメタデータが生成されるようにしてもよい。メタデータは、録音日、全録音時間、ＧＰＳから得られた位置、話者の氏名や連絡先などを含んでもよい。ＧＰＳから得られた位置は座標値として得られるので、移動端末機は、座標値に基づいて地図データサービスを利用して地名を取得し、その後地名をメタデータとして保存するようにしてもよい。
【０１２１】
話者の氏名は、話者の間で互いを呼ぶ氏名から得られる。例えば、会議中であると仮定すると、話者Ａが「松本」と呼んで話しかけ、話者Ｂがそれに応えた場合、移動端末機１００は、この対話から話者Ｂの氏名が「松本」であると類推することができる。また、話者Ａの声と話者Ｂの声を記憶した状態で（例えば、声のトーンや口調などを記憶した状態で）、話者Ｂが「福永」と呼んで話しかけ、話者Ａがそれに応えた場合、移動端末機１００は、この対話から話者Ａの氏名が「福永」であると類推することができる。
【０１２２】
このように、対話から話者の氏名を取得した場合、電子機器、例えば移動端末機１００は、話者の氏名をメタデータとして保存し、アドレス帳から話者の連絡先を取得してメタデータに連絡先を共に保存するようにしてもよい。
【０１２３】
一方、音声ファイルが生成されると、移動端末機１００は、生成された音声ファイルに基づいて音声テキスト変換を行い、テキストを生成する（Ｓ２１５０）。前述したステップＳ２１２０においてテキストが既に生成されている場合、ステップＳ２１５０は省略されてもよい。また、ステップＳ２１２０を行うことなく、ステップＳ２１５０のみを行ってもよい。
【０１２４】
さらに、ステップＳ２１２０はリアルタイムで行われるため、状況によっては音声がリアルタイムで認識されないことがあるので、ステップＳ２１５０はその未完成部分を処理するために行われてもよい。
【０１２５】
例えば、多数の話者が対話する状況では、ステップＳ２１２０において音声テキスト変換を行っても、多数の話者の音声をリアルタイムで認識することが難しいことがある。よって、このような状況では、ステップＳ２１２０においては、一部の話者の音声のみを認識してテキストを取得し、ステップＳ２１５０においては、残りの話者の音声を認識してテキストを取得するようにする。次いで、一部の話者の音声から得られたテキストと残りの話者の音声から得られたテキストとを組み合わせ、１つのテキストを生成する。ここで、一部の話者の音声から得られたテキストと残りの話者の音声から得られたテキストとを組み合わせる際に、各話者の音声に基づく文字列が時間順に配列されるようにしてもよい。
【０１２６】
他の例として、多数の話者が同時に対話する状況で移動端末機１００がリアルタイムで音声テキスト変換を行ってテキストを得た場合、二人の対話が混ざって認識されることがある。より具体的な例として、話者Ａが「来週もう一回会議しないか？」と話すと同時に話者Ｂが「来週のスケジュールを決めよう。」と話した場合、移動端末機１００は、「来週もう一回スケジュール会議決めようしないか？」と認識することにより、エラーが発生することがある。よって、移動端末機１００は、ステップＳ２１２０においては、話者Ａを認識し、話者Ａの音声に対してのみ音声テキスト変換を行ってテキストを得て、ステップＳ２１５０においては、話者Ｂの音声に対してのみ音声テキスト変換を行ってテキストを得て、その後話者Ａのテキストと話者Ｂのテキストとを組み合わせてもよい。
【０１２７】
次に、移動端末機１００は、テキストに基づいて、音声ファイルのファイル名を付与する（Ｓ２１６０）。
【０１２８】
一般に従来技術では、ファイル名が一般的な規則に従って生成される。例えば、ファイル名は、生成順に一連番号を付けてＡＵＤＩＯ＿００１、ＡＵＤＩＯ＿００２、ＡＵＤＩＯ＿００３などのように生成される。また、音声ファイルのファイル名は、録音日と一連番号の組み合わせで生成されることもある。すなわち、３つのファイルのファイル名は、例えば２０１２０１１２＿００１、２０１２０２１２＿００１、２０１２０３１２＿００１などのように生成される。
【０１２９】
しかし、音声ファイルのリストに対するアクセス要求に応じて、移動端末機が従来のようなファイル名を表示した場合、使用者はファイル名だけではどのような録音が行われたのか全く分からない。
【０１３０】
本発明においては、録音が終了すると、音声ファイル内の音声から変換生成されたテキストに基づいて音声ファイルのファイル名を付与する。例えば、制御部は、テキストから核心キーワードを検出し、検出された核心キーワードを音声ファイルのファイル名の少なくとも一部として設定する。
【０１３１】
音声ファイルのファイル名は、変換されたテキストに基づいて自動で付与されたり、使用者の選択により付与される。以下、図６Ｂ〜図６Ｄを参照して自動でファイル名が付与される場合を説明し、図６Ｅ及び図６Ｆを参照して使用者の選択が一部反映される場合を説明し、図６Ｇを参照して使用者の選択によりファイル名が付与される場合を説明する。
【０１３２】
図６Ｂは音声ファイルのファイル名が自動で付与される例を示す。
図６Ｂを参照すると、３つの音声ファイルが表示されており、この３つの音声ファイルのファイル名は異なる方法により検出された核心キーワードからなっている。
【０１３３】
１番目の音声ファイルは、核心キーワードが特定の時点（例えば、対話の導入部）で特定の話者が話した単語の場合を示す。一般的な会議では会議開始時に司会者が会議の案件を話す。よって、対話の導入部で話者Ａが「それでは、携帯電話の新製品開発会議を始めます。」と話した場合、移動端末機１００は、「会議」を核心キーワードとして検出し、これを含む文字列である「携帯電話の新製品開発会議」をファイル名として付与するようにしてもよい。この場合、特定の時点は、録音開始から所定期間（例えば、録音開始後１分）の範囲であり、所定期間は、使用者により設定される。
【０１３４】
また、核心キーワードは、録音中に特定の話者が強調して話した単語であってもよい。強調は、声の感情分析や単語の繰り返し回数などにより定義される。２番目の音声ファイルは、声の感情分析によりファイル名が付与された場合を示す。例えば、移動端末機１００は、感情分析アルゴリズムを用いて、特定の話者が興奮して話したり力んで話した部分から核心キーワードを検出する。より具体的には、使用者がラジオ又はテレビで放送されるニュースのうちＬＴＥ関連報道を録音した場合、移動端末機１００は、話者、すなわちニュースアンカーの声の感情を分析し、ニュースであることが分かる。また、ニュースアンカーがＬＴＥという単語を強調して話した場合、移動端末機１００は、「ＬＴＥ」を核心キーワードとして検出し、ファイル名に設定される文字列として「ＬＴＥ関連報道スクラップ」を抽出する。
【０１３５】
３番目の音声ファイルは、繰り返し回数が多い単語が核心キーワードとして検出された場合を示す。この場合、特定の区間（例えば、対話の導入部、対話の最後）で繰り返し回数が多い単語が核心キーワードとなる。例えば、話者Ａと話者Ｂが「アンテナ設計」という言葉を何回も繰り返した場合、「アンテナ設計」がファイル名として付与される。さらに、対話の導入部で「会議」という単語が検出された場合は、「アンテナ設計会議」がファイル名として付与される。このように、３つの例は互いに組み合わせ可能である。
【０１３６】
また、キーワードは、録音される場所又は状況を認知して抽出するようにしてもよい。例えば、移動端末機１００の位置が事務所や取引先の場合は、会議が多いと予想して対話の導入部でキーワードを検出し、移動端末機１００の位置が家の場合は、テレビ視聴が多いと予想して感情分析により抽出された単語をキーワードとして検出するようにしてもよい。
【０１３７】
以下、ファイル名が自動で付与される例について図６Ｃ〜図６Ｆを参照してより詳細に説明する。
【０１３８】
図６Ｃは図６Ａに示す方法により音声ファイルのファイル名が自動で付与される例を表で示すものである。
【０１３９】
図６Ｃに示すように、前述したステップＳ２１４０により音声ファイルが生成されると、一時ファイル名として、一連番号に基づいて、ＡＵＤＩＯ＿００１、ＡＵＤＩＯ＿００２、ＡＵＤＩＯ＿００３がそれぞれ付与される。あるいは、前述したステップＳ２２４０により音声ファイルが生成されると、一時ファイル名として、録音日と一連番号の組み合わせに基づいて、例えば２０１１０４０３＿００１、２０１１０５０５＿００１、２０１２０４０４＿００１がそれぞれ付与される。
【０１４０】
以下、このような状況で３つの音声ファイルにファイル名が自動で付与される例を具体的に説明する。
図６Ｃを参照すると、一例として、１番目の音声ファイルは、一時ファイル名ＡＵＤＩＯ＿００１が付与されており、音声テキスト変換ベースのテキストから核心キーワードからなる文字列、すなわち「携帯電話の新製品開発会議」が抽出されており、日付情報は２０１１−０４−０３であり、参席者は「松本」、「福永」、「斉藤」であり、メタデータとして位置（東京都渋谷区渋谷）と各参席者の連絡先が保存されている。すると、移動端末機１００は、１番目の音声ファイルのファイル名として、「携帯電話の新製品開発会議」を自動で付与する。さらに、移動端末機１００は、１番目の音声ファイルのファイル名として、日付と核心キーワードからなる文字列との組み合わせを自動で付与するようにしてもよい。例えば、図示のように、「２０１１０４０３携帯電話の新製品開発会議」というファイル名を付与する。
【０１４１】
他の例として、２番目の音声ファイルは、一時ファイル名ＡＵＤＩＯ＿００２が付与されており、音声テキスト変換ベースのテキストから核心キーワードからなる文字列、すなわち「ＬＴＥ関連報道」が抽出されており、日付情報は２０１１−０５−０５であり、参席者は「福永」、「斉藤」であり、メタデータとして位置（東京都新宿区新宿）と各参席者の連絡先が保存されている。すると、移動端末機１００は、２番目の音声ファイルのファイル名として、「ＬＴＥ関連報道スクラップ」を自動で付与する。さらに、移動端末機１００は、２番目の音声ファイルのファイル名として、日付と核心キーワードからなる文字列との組み合わせを自動で付与するようにしてもよい。例えば、図示のように、「２０１１０５０５ＬＴＥ関連報道スクラップ」というファイル名を付与する。
【０１４２】
さらに他の例として、３番目の音声ファイルは、一時ファイル名ＡＵＤＩＯ＿００３が付与されており、音声テキスト変換ベースのテキストから核心キーワードからなる文字列、すなわち「アンテナ設計会議」が抽出されており、日付情報は２０１２−０４−０４であり、参席者は「斉藤」、「松本」であり、メタデータとして位置（東京都中央区銀座）と各参席者の連絡先が保存されている。すると、移動端末機１００は、３番目の音声ファイルのファイル名として、「アンテナ設計会議」を自動で付与する。さらに、移動端末機１００は、３番目の音声ファイルのファイル名として、日付と核心キーワードからなる文字列との組み合わせを自動で付与するようにしてもよい。例えば、図示のように、「２０１２０４０４アンテナ設計会議」というファイル名を付与する。
【０１４３】
図６Ｃにおいては、日付と核心キーワードからなる文字列との組み合わせからなるファイル名で各音声ファイルを区分できるようにする例を挙げているが、同一日付で核心キーワードからなる文字列も同じファイルがある場合、移動端末機１００は、参席者情報、録音開始時間情報、位置情報の少なくとも１つをさらに用いて、ファイル名を付与することもできる。
【０１４４】
図６Ｄは図６Ａに示す方法により音声ファイルのファイル名が自動で付与される他の例を表で示すものである。
図６Ｄに示すように、移動端末機１００は、ファイル名を付与する際に、ＹＹＹＹＭＭＤＤ形式ではなく、今年、昨年、一昨年などの年度情報と月日とを組み合わせて用いてもよい。
【０１４５】
また、移動端末機１００は、ファイル名を付与する際に、地名を用いてもよい。
図６Ｄを参照すると、一例として、１番目の音声ファイルの場合、移動端末機１００は、年度情報、地名、及び核心キーワードからなる文字列の組み合わせを用いて、１番目の音声ファイルに対して「昨年渋谷携帯電話の新製品開発会議」というファイル名を付与する。
【０１４６】
ここで注目する点は、昨年、今年などの概念は時間の経過により変わるので、移動端末機１００は、時間の経過によりファイル名を自動で更新するという点である。
例えば、現在２０１１年であり、２番目の音声ファイルが２０１１−０５−０５に生成された場合、移動端末機１００は、２番目の音声ファイルに対して「今年新宿５月５日付けＬＴＥ関連報道スクラップ」というファイル名を付与する。
【０１４７】
しかし、時間が経過して２０１２年になると、移動端末機１００は、２番目の音声ファイルのファイル名を自動で更新して「昨年新宿ＬＴＥ関連報道スクラップ」にする。このような自動更新は、音声録音関連機能が実行される毎に行われてもよく、アイドル時間に行われるようにスケジューリングされてもよい。また、自動更新は、月が変わるか又は年が変わる毎に一度ずつ行われるようにスケジューリングされてもよい。
【０１４８】
一方、２番目の音声ファイルの例においては、ファイル名に月日に関する情報が含まれていない。これは、年度情報、地名、及び核心キーワードからなる文字列の組み合わせからなるファイル名だけでも十分に各音声ファイルを区分できると移動端末機１００が判断したからである。しかし、各音声ファイルの区分が難しいと判断した場合、移動端末機１００は、３番目の音声ファイルのように、ファイル名に月日に関する情報を付加する。
【０１４９】
図６Ｅは図６Ａに示す方法により音声ファイルのファイル名が自動で付与された後、使用者の確認を受ける過程を示すものである。
図６Ｅを参照すると、３番目の音声ファイルが生成された直後、移動端末機１００は、前述したように、３番目の音声ファイルに対して「２０１２０４０４アンテナ設計会議」というファイル名を自動で付与する。
【０１５０】
このように自動で付与されたファイル名は、移動端末機１００が音声テキスト変換ベースのテキストから核心キーワードとして抽出した文字列に基づいたものである。しかし、抽出された核心キーワードは常に適切であるわけではない。
【０１５１】
よって、移動端末機１００は、ファイル名を自動で付与した後、付与したファイル名が適切であるか使用者の確認を受けるための動作を行うようにしてもよい。例えば、図６Ｅの（ａ）及び（ｃ）のように、移動端末機１００は、ファイル名を自動で付与した後、「修正」ボタン及び「確認」ボタンを表示する。
【０１５２】
この場合、使用者が図６Ｅの（ａ）のように「確認」ボタンをタッチすると、図６Ｅの（ｂ）のように、音声ファイルには「アンテナ設計会議」というファイル名が確定的に付与される。それに対して、使用者が図６Ｅの（ｃ）のように「修正」ボタンをタッチすると、音声ファイルのファイル名を修正できる状態に切り替えられる。このような例として、図６Ｅの（ｄ）のように、他のファイル名が提案されるようにしてもよい。他のファイル名の提案のために、設定されるファイル名には優先順位が付与されてもよい。例えば、核心キーワードの検出方法のうち、繰り返し回数のカウントにより得られたものが第一順位となり、感情の分析や特定の時点の分析により得られたものが次順位となる。この場合、使用者が「修正」ボタンを選択することにより提案される他のファイル名は、次順位の分析により検出された核心キーワードからなる文字列となる。
【０１５３】
代案として、移動端末機１００は、ファイル名を付与し、ファイル名を斜体で表示するか、又はファイル名の色を薄く表示する。使用者がファイル名をタッチすると、移動端末機１００は、斜体表示又は薄色表示を解除する。それに対して、使用者がファイル名を所定時間以上タッチ（例えばロングタッチ）すると、移動端末機１００は、ファイル名を修正できる画面を表示する。
【０１５４】
他の代案として、移動端末機１００は、ファイル名を付与し、ファイル名を斜体で表示するか、又はファイル名の色を薄く表示すると共に、「確認」ボタンを表示する。使用者が「確認」ボタンをタッチするのではなく、文字列をタッチすると、移動端末機１００は、ファイル名を修正できる画面を表示する。
【０１５５】
図６Ｆは図６Ａに示す方法により音声ファイルのファイル名が自動で付与されたが、同じファイル名がある例を示すものである。
【０１５６】
移動端末機１００は、ファイル名を自動で付与したが同じファイル名がある場合、他の推薦ファイル名をさらに表示するようにしてもよい。あるいは、移動端末機１００は、ファイル名を自動で付与したが同じファイル名がある場合、他の核心キーワードを表示するようにしてもよい。使用者が様々な核心キーワードのいずれか１つを選択すると、移動端末機１００は、選択された核心キーワードを利用して、ファイル名を更新する。
【０１５７】
より具体的には、「アンテナ設計会議」というファイル名が既に存在するにもかかわらず、録音されて追加される音声ファイル名として「アンテナ設計会議」が付与されることがある。図６Ｆを参照すると、同じファイル名がある場合、移動端末機１００は、案内メッセージ、例えば「同じ推薦ファイル名があります。修正しますか？」というメッセージを表示する。さらに、移動端末機１００は、「修正」ボタン及び「いいえ」ボタンを表示する。
【０１５８】
あるいは、同じファイル名がある場合、移動端末機１００は、付与できるファイル名のリストを出力する。ファイル名のリストは、次順位の核心キーワードであってもよく、使用者はリストのファイル名から所望のファイル名をタッチすることにより、音声ファイルにファイル名が付与されるようにしてもよい。
【０１５９】
図６Ｇは使用者が音声ファイルのファイル名を設定する場合を示すものである。
図６Ｇを参照すると、録音が行われている間、音声テキスト変換により変換されたテキストがディスプレイ部１５１に出力される。録音が行われると、変換されたテキストがリアルタイムで出力されるようにしてもよく、テキストから検出された核心キーワード又は文字列のみ出力されるようにしてもよい。
【０１６０】
使用者は録音中にディスプレイ部１５１に出力されたテキストからファイル名として付与するキーワードを選択することができる。例えば、図示のように、使用者が「アンテナ設計」という文字列をドラッグして選択すると、後で「アンテナ設計」がファイル名に設定されるようにしてもよい。
【０１６１】
このような選択入力は、複数のキーワード又は文字列に対して行われてもよい。例えば、「アンテナ設計」をドラッグして「会議」をタッチすると、「アンテナ設計」と「会議」とが組み合わせられて「アンテナ設計会議」がファイル名となる。
【０１６２】
また、テキストが出力されている間に使用者がタッチやドラッグにより選択したキーワード又は文字列は、後でファイル名を付与するためのリストとして保存されるようにしてもよい。リストは、録音が終了して保存する際に選択可能な項目として出力されるようにしてもよい。
【０１６３】
図６Ｇの実施形態は様々な駆動方法により実現することができる。例えば、駆動方法は、制御部により３つの段階を行うことで実現することができる。より具体的には、第１段階においては、マイクから入力される使用者の音声を音声ファイルとして録音する録音アプリケーションを駆動し、第２段階においては、使用者の音声から変換生成されたテキストをディスプレイ部に出力するように、録音アプリケーションの駆動に連動して音声テキスト変換の実行アプリケーションを駆動し、第３段階においては、ディスプレイ部に出力されたテキストの内容のうちタッチ入力により指定されるキーワードを音声ファイルのファイル名の少なくとも一部として設定する。
【０１６４】
制御部は、音声ファイルの録音中にタッチ入力がなければ、テキストから核心キーワードを検出し、検出された核心キーワードを音声ファイルのファイル名の少なくとも一部として設定するようにしてもよい。この場合、ファイル名は、キーワード又は核心キーワードが含まれる文字列からなり、制御部は、音声ファイルのリストの出力要求がある場合、ディスプレイ部に文字列をスクロールして出力するようにしてもよい。
【０１６５】
また、アプリケーションの構成方法は様々である。例えば、音声テキスト変換の実行アプリケーションは、録音アプリケーションとは別に備えられ、録音アプリケーションは、録音時に音声テキスト変換の実行アプリケーションの駆動を選択できるようになっていてもよい。他の例として、録音アプリケーションの駆動時に音声テキスト変換の実行が録音アプリケーションの一機能として実現されるように、音声テキスト変換の実行アプリケーションが録音アプリケーションの一部として備えられてもよい。
【０１６６】
また、音声ファイルが保存される際に、音声ファイルと共に、音声テキスト変換に基づいて生成されたテキストが含まれるテキストファイルが保存されるようにしてもよい。これにより、後で音声ファイルを再生する際に、別途の音声テキスト変換過程を行うことなく、テキストファイルを用いて、再生される音声に該当するテキストを直ちに出力することができる。例えば、音声ファイルを再生する際に、テキストファイルの存在を示すポップアップウィンドウが出力され、使用者の選択によりテキストが音声ファイルの再生と連動して出力されるようにしてもよい。
【０１６７】
図７Ａは本発明の第２実施形態により自動で付与されたファイル名を後で修正する方法を示すフローチャートであり、図７Ｂ〜図７Ｅはファイル名を修正する例を示す概念図である。
図７Ａに示すステップＳ２２１０〜Ｓ２２６０は、図６Ａに示すステップＳ２１１０〜Ｓ２１６０と同様であるので、その説明を省略する。
【０１６８】
生成された音声ファイルにファイル名が自動で付与された後、ファイル名修正要求が受信されると（Ｓ２２７０）、電子機器、例えば移動端末機１００は、ファイル名の修正のための修正モードに移行する（Ｓ２２８０）。
【０１６９】
図７Ｂに示すように、使用者が特定のファイル名に対してジェスチャーを行うと（例えば、特定のファイル名をショートタッチもしくはロングタッチするか、又は特定方向にドラッグすると）、移動端末機１００は、特定のファイル名に対して様々な効果を与えて表示するようにしてもよい。例えば、移動端末機１００は、特定のファイル名を斜体で表示するか、特定のファイル名の色を薄く表示するか、又は特定のファイル名に対してブレ効果を与えて表示する。
【０１７０】
移動端末機１００は、このように特定のファイル名に対して様々な効果を与えて表示すると共に、ファイル名を修正するための画面を表示するようにしてもよい。ファイル名を修正するための画面として、仮想キーボードが出力されるようにしてもよい。使用者が仮想キーボードを用いて特定の単語を入力すると、移動端末機１００は、図７Ｂに示すように、キーワードの代わりに、入力された単語をファイル名として表示するようにしてもよい。
【０１７１】
一方、図７Ｃに示すように、使用者が特定のファイル名に対してジェスチャーを行うと（例えば、特定のファイル名をロングタッチするか、又は特定方向にドラッグすると）、移動端末機１００は、使用者が修正を希望するかを聞くために、「修正」ボタン及び「確認」ボタンを表示するようにしてもよい。使用者により「修正」ボタンが選択されると、移動端末機１００は、ファイル名を修正するための画面を表示するようにしてもよい。
【０１７２】
ファイル名を修正するための画面には、図示のように次順位の推薦キーワードが表示されるようにしてもよく、使用者が表示された次順位の推薦キーワードからいずれか１つの推薦キーワードを選択すると、移動端末機１００は、選択されたキーワードを利用して、ファイル名を更新するようにしてもよい。
【０１７３】
ファイル名の修正は、図７Ｄのように、音声認識により行われるようにしてもよい。この場合、図７Ｄの（ｂ）のように、音声認識のための画面は、マイクマークと、音声入力を案内する案内メッセージとからなるようにしもよい。さらに、図示されていないが、音声認識のための画面には、認識された音声が表示されるようにしてもよい。
【０１７４】
図７Ｄの（ａ）を参照すると、音声認識による編集のために音声ファイルのリストがアクセスされる際に、ディスプレイ部１５１の一地点に音声認識による編集に対応するアイコンが出力されるようにしてもよい。アイコンは、例えばファイル名の横に配置されるマイクマークであってもよい。
【０１７５】
使用者によりアイコンがタッチされると、音声認識のための画面を表示し、その後使用者から音声命令が入力されると、入力された音声命令に従って、ファイル名を修正する。
【０１７６】
例えば、入力された音声命令が「ファイル名を携帯電話のアンテナ設計に変更して。」である場合、移動端末機１００は、従来のファイル名を認識された音声に従って「携帯電話のアンテナ設計」に変更する。
【０１７７】
他の例として、入力された音声命令が「設計をシミュレーションに変更して。」である場合、移動端末機１００は、従来のファイル名にあった一部の単語を新しい単語に代えて「アンテナシミュレーション会議」にする。
【０１７８】
一方、図７Ｅに示すように、ファイル名を修正するための画面は、音声テキスト変換により変換されたテキストの出力ウィンドウであってもよい。
【０１７９】
例えば、音声ファイルのリストがアクセスされる際に、図７Ｅのように、テキストの出力に対応するアイコンが出力されるようにしてもよい。使用者によりアイコンがタッチされると、ディスプレイ部１５１にテキストが出力される。ここで、出力されるテキストは、ドラッグなどによりスクロール可能である。図示のように、使用者がタッチやドラッグによりテキストの内容のうち特定のキーワード又は文字列を選択すると、ファイル名を変更するか否かの確認ウィンドウが出力され、使用者がファイル名の変更を許可すると、ファイル名が変更される。
【０１８０】
図７Ｅに開示された実施形態は、ファイル名の変更だけでなく、最初のファイル名設定にも応用することができる。例えば、音声録音中に音声テキスト変換により変換されたテキストが画面に出力され、使用者がタッチやドラッグによりテキストの内容のうち特定のキーワード又は文字列を選択すると、選択されたキーワード又は文字列がファイル名として付与されるようにする。
【０１８１】
前述したように、本発明の第２実施形態によれば、音声テキスト変換ベースのテキストから抽出されたキーワードに基づいてファイル名を自動で付与することができるだけでなく、ファイル名を簡単に変更することができる。
【０１８２】
また、電子機器、例えば移動端末機１００は、ファイルリストにアクセスする際に、ファイル名に加えて追加情報を出力するようにしてもよい。これについては、図８Ａ〜図８Ｊを参照して本明細書に開示された第３実施形態で説明する。
【０１８３】
図８Ａは本発明の第３実施形態により音声ファイルに関連するテキストを表示する方法を示すフローチャートである。
【０１８４】
図８Ａに示すステップＳ２３１０〜Ｓ２３５０は、図６Ａに示すステップＳ２１１０〜Ｓ２１５０と同様であるので、その説明を省略し、ステップＳ２３６０から説明する。
音声ファイルが生成された後、音声ファイルのリスト（又は音声ファイル自体）に対するアクセス要求が受信されると（Ｓ２３６０）、各音声ファイルに対応するテキストに基づく文字列をディスプレイ部に表示する（Ｓ２３７０）。
【０１８５】
アクセス要求は、音声ファイルのリストに対する使用者の要求であってもよい。また、アクセス要求は、音声録音終了命令に応答して電子機器、例えば移動端末機１００が自動的に生成してもよい。
【０１８６】
代案として、音声録音アプリケーションが終了した状態で、再び音声録音アプリケーションを実行させる要求が行われると、移動端末機１００は、音声ファイルのリストを先に表示するようにしてもよい。つまり、アクセス要求は、音声録音アプリケーションを実行させる要求であってもよい。
【０１８７】
本発明の第３実施形態によれば、移動端末機は、音声テキスト変換に基づいて生成されたテキストから適切な文字列を抽出し、音声ファイルに対するアクセス要求に対応して抽出された文字列を表示する。ここで、文字列の抽出方法としては、前述した第２実施形態と同一又は類似の方法を用いてもよい。
【０１８８】
抽出された文字列を１画面に全て表示できない場合、移動端末機１００は、文字列を自動でスクロールして表示するようにしてもよい。例えば、移動端末機１００は、文字列を画面の右側に表示して左側に移動させることにより、文字列を全て表示するようにしてもよい。すなわち、画面に１行に表示できる文字の数だけ文字列を表示し、文字列を横方向に移動させて文字列の残りの文字を順次表示するようにしてもよい。あるいは、文字列の最初の文字を画面の一側に表示して他側に移動させて文字列の残りの文字を連続的に表示するようにしてもよい。
【０１８９】
以下、このような過程の例示を、図８Ｂ〜図８Ｊを参照してより詳細に説明する。
図８Ｂは音声ファイルを説明する文字列を表示する一例を示すものである。
【０１９０】
図８Ｂを参照すると、移動端末機１００の画面に３つの音声ファイルが表示されている。１番目の音声ファイルは、２０１２年１月１２日１５時３０分に生成されたものであり、録音時間は２０分１０秒であり、ファイル名は「携帯電話の新製品開発会議」である。
【０１９１】
２番目の音声ファイルのファイル名は「ＬＴＥ関連報道スクラップ」であり、３番目の音声ファイルのファイル名は「アンテナ設計会議」である。
【０１９２】
図示のように、ディスプレイ部１５１には、音声ファイルのファイル名と共に、ファイル名とは異なる文字列が表示されるようにしてもよい。文字列には、ファイル名を含む内容が含まれてもよく、ファイル名に含まれない核心キーワードを含む内容が含まれてもよい。
【０１９３】
ファイル名に設定された文字列と他の文字列とは、検出条件を変えることによって設定されてもよい。より詳細に説明するために、「アンテナ設計会議」というファイル名が第２実施形態の３番目の音声ファイルのファイル名と同じ方法により設定される場合を例示する。
【０１９４】
話者Ａと話者Ｂが「アンテナ設計」の他に「来月の海外出張」という言葉と「部品供給契約」という言葉を何回も繰り返した場合、移動端末機１００は、「来月の海外出張」という言葉から海外出張前の打ち合わせであることを認識し、また「契約草案の作成」という言葉から会議が契約草案の作成のためのものであることを認識する。これにより、移動端末機１００は、ファイル名と共に表示する文字列として、「海外出張前の打ち合わせ：契約草案の作成」を生成する。
【０１９５】
一方、移動端末機１００が縦画面で表示する際に、縦画面に文字列（「海外出張前の打ち合わせ：契約草案の作成」）を一度に表示できない場合、文字列を画面の右側に表示して左側に移動させることにより、文字列を全て表示するようにしてもよい。
【０１９６】
例えば、図示の３番目の音声ファイルのように、まず「海外出張前の打ち合わせ」を表示し、文字列をスクロール、すなわち左方向に移動させることにより、「契約草案の作成」を連続的に表示する。
【０１９７】
図８Ｃは音声ファイルを説明する文字列を表示する他の例を示すものである。
図８Ｃを参照すると、音声ファイルの文字列を１画面に全て表示できない状況で、移動端末機１００が文字列をスクロールする際に、使用者が特定の音声ファイルに対してジェスチャーを行うことにより、文字列のスクロール速度を調整することができる。
【０１９８】
より詳細に説明するために、図示の２番目の音声ファイルのように、移動端末機１００がまず「ＬＴＥ関連報道ＮＨＫラジオ」を表示し、文字列を左側に移動させることにより、「ラジオ」の次の部分を連続的に表示する場合を例示する。
【０１９９】
使用者が２番目の音声ファイルに対するジェスチャーとして対応する画面部分をタッチ又はドラッグすると、移動端末機１００は、文字列のスクロール速度、すなわち文字列の移動速度をより速くするか又はより遅くして文字列を表示するようにしてもよい。具体的には、移動端末機１００は、使用者が２番目の音声ファイルをタッチすると、スクロール速度を遅くすることにより、使用者がより正確に読めるようにしてもよい。あるいは、移動端末機１００は、使用者が２番目の音声ファイルをドラッグすると、スクロール速度を速くするようにしてもよい。例えば、図８Ｃの（ａ）のようにタッチする場合より、図８Ｃの（ｂ）のようにドラッグする場合にスクロール速度が速くなるようにする。
【０２００】
さらに他の具体的な例として、移動端末機１００は、使用者が２番目の音声ファイルを右にドラッグすると、スクロール方向を反対にするようにしてもよい。
【０２０１】
一方、使用者が２番目の音声ファイルに対するジェスチャーとして、対応する画面部分をタッチ又はドラッグするのではなく、対応する画面部分を指差すと、移動端末機１００は、カメラにより使用者の指ジェスチャーを認識し、指ジェスチャーに従ってスクロール速度を遅くするようにしてもよい。また、移動端末機１００は、使用者が２番目の音声ファイルに対するジェスチャーとして対応する画面部分を指差した後に指を左又は右に動かすと、スクロールをより速くするか、又はスクロール方向を反対にするようにしてもよい。
【０２０２】
図８Ｄは音声ファイルを説明する文字列を表示するさらに他の例を示すものである。
図８Ｄを参照すると、移動端末機１００の画面に３つの音声ファイルが表示された状態で、使用者が音声で音声ファイルのテキストや文字列にアクセスすることができる。具体的に説明すると次の通りである。
【０２０３】
図示のように、移動端末機１００の画面に「携帯電話の新製品開発会議」、「ＬＴＥ関連報道スクラップ」、「アンテナ設計会議」という文字列が表示され、「ＬＴＥ関連報道スクラップ」には、スクロール中の文字列である「報道ＮＨＫラジオ」が表示されている。本例においては、３番目の音声ファイルのように、ファイル名自体をスクロールすることもできる。図示していないが、別の例として、ファイル名は核心キーワードではなく一連番号を付けてＡＵＤＩＯ＿００１のように設定され、ファイル名と共に出力される文字列はスクロールされて表示されるようにしてもよい。
【０２０４】
本例においては、使用者が「２番目の音声メモを要約して言って。」と言うと、移動端末機１００は、その対話命令を認識し、２番目の音声ファイルに対応するテキストから抽出された核心キーワードを画面に表示したり、音声で出力することができる。出力される音声は、抽出された核心キーワードをテキスト音声（Text To Speech; TTS）変換により音声に変換したものであってもよい。あるいは、出力される音声は、音声ファイルからキーワードに関連する部分のみを抽出し、抽出された部分を組み合わせたものであってもよい。
【０２０５】
この場合、移動端末機１００は、次のプロセスで核心キーワードを画面に表示したり、音声で出力することができる。例えば、移動端末機１００は、対話命令を認識すると、音声テキスト変換を行って認識された文字列、すなわち「２番目の音声メモを要約して言って。」を画面の一部分、例えば画面の下端に表示する。次に、移動端末機１００は、「ご要求されましたか。」という質問をスピーカから出力するようにしてもよい。あるいは、移動端末機１００は、「２番目の音声メモを言って、とご要求されましたか。」という質問をスピーカから出力するようにしてもよい。
【０２０６】
また、代案として、使用者が「ＬＴＥ関連報道について詳しく言って。」と言うと、移動端末機１００は、対話命令を認識し、音声テキスト変換を行って認識された文字列「ＬＴＥ関連報道の詳細内容をご希望ですか？」を音声で出力したり、画面に出力するようにしてもよい。
【０２０７】
質問を出力した後、使用者から肯定の表現（例えば、オッケー、はい、サンキューなど）の音声が入力された場合、移動端末機１００は、２番目の音声ファイルに対応するテキストから抽出された核心キーワードを画面に表示したり、音声で出力するようにしてもよい。
【０２０８】
また、質問を出力してから所定時間以上使用者からの入力がない場合も、移動端末機１００は、これを肯定とみなすようにしてもよい。
【０２０９】
図８Ｅ及び図８Ｆは音声ファイルを説明する文字列を詳細に表示する他の例を示すものである。
図８Ｅを参照すると、移動端末機１００の画面に３つの音声ファイルの文字列が表示された状態で、使用者が特定の文字列に対してジェスチャーを行うと、移動端末機１００は、文字列が属する欄を大きく表示することにより、欄に文字列の詳細内容を表示することができる。具体的に説明すると次の通りである。
【０２１０】
図示のように、移動端末機１００の画面に「携帯電話の新製品開発会議」、「ＬＴＥ関連報道スクラップ」、「アンテナ設計会議」という文字列が表示され、「ＬＴＥ関連報道スクラップ」には、スクロール中の文字列である「報道ＮＨＫラジオ」が表示されている。
【０２１１】
本例においては、使用者が画面で音声ファイルの文字列が属する欄を所定時間以上タッチすると、移動端末機１００は、文字列が属する欄を大きく表示することができる。例えば、図示のように２番目の音声ファイルの文字列が属する欄が所定時間以上タッチされた場合、２番目の音声ファイルの欄は大きくなり、３番目の音声ファイルの欄は画面の下端に移動するか又は表示されない。
【０２１２】
次に、移動端末機１００は、大きくなった２番目の音声ファイルの欄に、２番目の音声ファイルに対応する音声テキスト変換ベースのテキストを要約して表示するようにしてもよい。その要約内容を大きくなった２番目の音声ファイルの欄に全て表示できない場合、移動端末機１００は、欄の右側にスクロールバーを表示するようにしてもよい。
【０２１３】
一方、このような方法は、使用者が画面で音声ファイルの文字列が属する欄をロングタッチする場合にのみ適用されるものではなく、他のジェスチャーの場合にも適用可能である。
【０２１４】
例えば、使用者が画面で２番目の音声ファイルの文字列が属する欄をタッチした後に画面の下方又は上方にドラッグした場合も、移動端末機１００は、２番目の音声ファイルの文字列が属する欄を大きく表示し、欄に文字列の詳細内容を表示するようにしてもよい。
【０２１５】
図８Ｆを参照すると、使用者が画面で２番目の音声ファイルの文字列が属する欄を２本の指でタッチしたまま２本の指を互いに遠ざかる方向にドラッグした（ピンチアウトした）場合も、移動端末機１００は、２番目の音声ファイルの文字列が属する欄を大きく表示し、欄に文字列の詳細内容を表示するようにしてもよい。
【０２１６】
この場合、ドラッグ速度に応じて該当欄が大きくなる程度を調整することができる。例えば、欄は、図８Ｆの（ｂ）のようにドラッグ速度が速い場合、図８Ｆの（ａ）のようにドラッグ速度が遅い場合に拡張される程度より大きく拡張されるようにしてもよい。また、ドラッグ速度が予め設定された速度以上の場合、他の文字列は消え、該当文字列が画面全体に出力されるようにしてもよい。
【０２１７】
図８Ｇは音声ファイルを説明する文字列を詳細に表示するさらに他の例を示すものである。
図８Ｇに示すように、２番目の音声ファイルの文字列の詳細内容が表示された場合、移動端末機１００は、文字列の詳細内容のうちの核心キーワードを太字（ボールド）又は下線（アンダーライン）付きで表示するようにしてもよい。
また、核心キーワードは、ハイライトで表示してもよく、赤字で表示してもよい。
【０２１８】
一般に、文字列の詳細内容を表示する際に、核心キーワードを中心に単語を並べた場合、使用者は単語だけでは録音当時の状況を思い出せないことがある。よって、図８Ｇに示すように、移動端末機１００は、文字列の詳細内容を表示する際に、核心キーワードだけでなく、核心キーワードを含む文章全体を表示し、核心キーワードを太字又は下線付きで表示することにより、使用者が録音当時の状況を正確に思い出せるようにする。このとき、使用者が太字又は下線付きで表示した核心キーワードをタッチすると、音声ファイルのうち該当部分のみを再生して音響を出力するようにしてもよい。また、部分が変更されるファイル名に設定されるようにしてもよい。
【０２１９】
代案として、移動端末機１００は、文字列の詳細内容を表示する際に、核心単語のみを並べて表示するようにしてもよい。ここで、核心単語は、リンクがあることを示す下線付きで表示されてもよい。この場合、使用者が画面で該当単語をタッチすると、移動端末機１００は、核心単語を含む文章全体を表示し、音声ファイルのうち該当部分のみを再生するようにしてもよい。
【０２２０】
他の例として、文字列の詳細内容を表示する際に、専門用語など、一般にあまり使用されない用語がある場合、用語に強調効果（例えば、太字、下線付き、ハイライト、赤字など）を与えて表示するようにしてもよい。
【０２２１】
この場合、使用者が画面で強調効果が与えられた単語をタッチすると、移動端末機１００は、単語の辞書検索結果をポップアップ画面に表示するようにしてもよい。
図８Ｈは音声ファイルに対応する音声テキスト変換ベースのテキストを画面全体に詳細に表示する他の例を示すものである。
【０２２２】
使用者が２番目の音声ファイルに対してジェスチャーを行うと、例えばダブルタッチすると、図８Ｈに示すように、移動端末機１００は、２番目の音声ファイルに対応する音声テキスト変換ベースのテキスト全文を表示するようにしてもよい。
【０２２３】
ここで、画面にテキスト全文を表示できない場合、移動端末機１００は、画面の右側にスクロールバーを表示するようにしてもよい。画面にテキスト全文を表示できない場合、移動端末機１００は、画面にテキスト全文を最初から表示し、画面の右側にスクロールバーを表示するようにしてもよいが、代案として、画面にテキスト全文を核心キーワードのある部分から表示するようにしてもよい。このようにすることにより、録音当時の話者間の一般的な挨拶などの不要な部分は使用者が読まないようにすることができる。
【０２２４】
前述したように、核心キーワードは、強調効果（例えば、太字、下線付き、ハイライト、赤字など）が与えられて表示されるようにしてもよく、使用者が強調効果が与えられた核心キーワードをタッチすると、音声ファイルの該当部分が音声で出力されるようにしてもよい。
【０２２５】
図８Ｉは音声ファイルに対応する音声テキスト変換ベースのテキストを画面全体に詳細に表示した状態で使用者が音声で命令する例を示すものである。前述したように、音声テキスト変換ベースのテキスト全文を表示すると共に、移動端末機１００は、使用者からの音声命令の入力を受けるための画面を下端に表示するようにしてもよい。
【０２２６】
使用者が「ＬＴＥ標準特許部分から再生して。」と言うと、移動端末機１００は、その音声命令を認識し、該当部分から音声を再生する。
【０２２７】
この場合、音声を再生する前に、音声テキスト変換を行って認識された文字列「ＬＴＥ標準特許部分から再生して。」を音声で出力したり、画面に出力するようにしてもよい。あるいは、移動端末機１００は、「ＬＴＥ標準部分から再生しましょうか？」を音声で出力したり、画面に出力するようにしてもよい。
【０２２８】
一方、テキスト全文の表示は、音声の再生に連動して制御されるようにしてもよい。例えば、図８Ｊのように、音声再生命令と共に、移動端末機１００のディスプレイ部１５１に音声テキスト変換により変換されたテキストが出力されるようにしてもよい。この場合、ディスプレイ部１５１には、現在再生されている音声に対応するテキスト部分を示すインジケータが出力され、インジケータは、音声の再生に連動して移動する。
【０２２９】
また、移動端末機１００は、音声の再生時に再生速度を調節できるように構成され、インジケータは、再生速度に応じて移動速度や形態が変わるように形成される。一例として、図８Ｊに示すように、インジケータが特定範囲をハイライト表示するブロックである場合、ブロックは、再生速度が１倍速であれば１つの単語をハイライト表示し、再生速度が２倍速であれば複数の単語をハイライト表示するように形成されてもよい。
【０２３０】
前述したように、本発明の第３実施形態によれば、移動端末機１００は、音声ファイルのリストに対するアクセス要求を受信すると、核心キーワードからなる文字列を表示し、文字列に対する使用者のジェスチャーがあると、テキスト全体を出力することができる。また、本発明の第３実施形態によれば、核心キーワードからなる文字列により、使用者が音声ファイルの再生を簡単にコントロールすることができる。
【０２３１】
本明細書に開示された第４実施形態は、前述した実施形態における構成又は段階の一部又は組み合わせとして実現してもよく、前述した実施形態の組み合わせとして実現してもよい。以下、本明細書に開示された第４実施形態をより明確に説明するために、重複する説明は省略する。
【０２３２】
図９Ａは本明細書に開示された第４実施形態による音声ファイル編集方法を示すフローチャートである。
図９Ａを参照すると、本明細書に開示された第４実施形態による音声ファイル編集方法は、次のような段階からなるようにしてもよい。
【０２３３】
まず、電子機器、例えば移動端末機１００は、移動端末機１００に保存された複数の音声ファイルのうち特定の音声ファイルを再生する（Ｓ３０１１）。そして、移動端末機１００は、再生される特定の音声ファイルに対してリアルタイム音声テキスト変換を行う。
【０２３４】
次に、移動端末機１００は、リアルタイム音声テキスト変換に基づいて、音声ファイルに対応するテキスト（文字列又はスクリプト）を生成する（Ｓ３０１２）。
【０２３５】
次に、移動端末機１００は、生成されたテキスト（文字列又はスクリプト）の空白部分を検出する（Ｓ３０１３）。ここで、空白部分とは、テキスト（文字列又はスクリプト）に含まれる空の文字（又は空の文字列）部分を意味する。
【０２３６】
次に、移動端末機１００は、検出された空白部分に対応する音声ファイル部分を削除し、削除された音声ファイル部分を除く残りの音声ファイル部分に基づいて、新しい音声ファイルを生成する（Ｓ３０１４）。
【０２３７】
図９Ｂを参照すると、本明細書に開示された第４実施形態による音声ファイル編集方法は、既に保存されているファイルに対しても適用することができる。既に保存されているファイルに適用される音声ファイル編集方法は次の通りである。
【０２３８】
まず、移動端末機１００は、移動端末機１００に保存された複数の音声ファイルのうち特定の音声ファイルを選択する（Ｓ３０２１）。そして、移動端末機１００は、選択された特定の音声ファイルに対して音声テキスト変換を行う。
【０２３９】
次に、移動端末機１００は、音声テキスト変換に基づいて、音声ファイルに対応するテキスト（文字列又はスクリプト）を生成し（Ｓ３０２２）、生成されたテキスト（文字列又はスクリプト）の空白部分を検出する（Ｓ３０２３）。
【０２４０】
次に、移動端末機１００は、検出された空白部分に対応する音声ファイル部分を削除し、削除された音声ファイル部分を除く残りの音声ファイル部分に基づいて、新しい音声ファイルを生成する（Ｓ３０２４）。
【０２４１】
図９Ｃは本明細書に開示された第４実施形態による音声ファイル編集方法の一例を示す図である。
【０２４２】
使用者は、特定の音声ファイル（Ａ００１．ｗｍｖ）が空の音声区間Ａ１１０を含む場合、本明細書に開示された第４実施形態による音声ファイル編集方法に基づいて、空の音声区間Ａ１１０を削除し、新しい音声ファイル（Ａ００２．ｗｍｖ）を生成することができる。
【０２４３】
図９Ｃに開示された音声ファイル編集方法は、音声ファイル再生中のリアルタイム音声テキスト変換の場合と、音声ファイル選択後の音声テキスト変換の場合のどちらにも適用することができる。
【０２４４】
図９Ｃの（ａ）を参照すると、移動端末機１００は、移動端末機１００の使用者の選択入力に基づいて、移動端末機１００に保存された音声ファイルのうち音声ファイルＡ００１．ｗｍｖを選択する。
【０２４５】
次に、移動端末機１００は、選択された音声ファイルＡ００１．ｗｍｖを再生する。この場合、移動端末機１００は、選択された音声ファイルＡ００１．ｗｍｖに対して音声テキスト変換を行う。
【０２４６】
次に、移動端末機１００は、移動端末機１００の画面の一部領域に、音声テキスト変換に基づいて生成されたテキストＴ１１０を表示する。
【０２４７】
次に、移動端末機１００は、テキストＴ１１０の空白部分Ｅ１１０を検出する。
この場合、移動端末機１００は、検出された空白部分Ｅ１１０に対応する音声ファイルＡ００１．ｗｍｖの空の音声区間Ａ１１０を検出する。
【０２４８】
図９Ｃの（ｂ）を参照すると、移動端末機１００は、空白部分Ｅ１１０に対応する音声ファイルＡ００１．ｗｍｖの空の音声区間Ａ１１０を削除し、音声ファイルＡ００１．ｗｍｖのうち削除された音声区間Ａ１１０を除く残りの部分を含む新しい音声ファイルＡ００２．ｗｍｖを生成する。
【０２４９】
図９Ｃの（ｂ）から分かるように、この場合、新しい音声ファイルＡ００２．ｗｍｖには、空白部分Ｅ１１０に対応する空の音声区間Ａ１１０がない。
【０２５０】
図９Ｄは本明細書に開示された第４実施形態による他の音声ファイル編集方法を示すフローチャートである。
図９Ｄを参照すると、本明細書に開示された第４実施形態による音声ファイル編集方法は、次のような段階からなるようにしてもよい。
【０２５１】
まず、移動端末機１００は、移動端末機１００に保存された複数の音声ファイルのうち特定の音声ファイルを再生する（Ｓ３０３１）。そして、移動端末機１００は、再生される特定の音声ファイルに対してリアルタイム音声テキスト変換を行う。
【０２５２】
次に、移動端末機１００は、リアルタイム音声テキスト変換に基づいて、音声ファイルに対応するテキスト（文字列又はスクリプト）を生成する（Ｓ３０３２）。
【０２５３】
次に、移動端末機１００は、生成されたテキスト（文字列又はスクリプト）の一部分を選択する（Ｓ３０３３）。
【０２５４】
次に、移動端末機１００は、選択されたテキストの一部分に対応する音声部分に基づいて、新しい音声ファイルを生成する（Ｓ３０３４）。ただし、本発明は、これに限定されるものではなく、選択されたテキストの一部分に対応する音声部分を削除し、削除された音声ファイル部分を除く残りの音声ファイル部分に基づいて、新しい音声ファイルを生成するようにしてもよい。
【０２５５】
図９Ｅを参照すると、図９Ｄに開示された音声ファイル編集方法は、既に保存されているファイルに対しても適用することができる。
【０２５６】
まず、移動端末機１００は、移動端末機１００に保存された複数の音声ファイルのうち特定の音声ファイルを選択し（Ｓ３０４１）、選択された特定の音声ファイルに対して音声テキスト変換を行う。なお、新しい音声ファイルを生成する残りの過程は、図９Ｄに開示された方法と同様に行ってもよい。
【０２５７】
図９Ｆは図９Ｄ又は図９Ｅに開示された音声ファイル編集方法の一例を示す図である。図９Ｆに開示された音声ファイル編集方法は、音声ファイル再生中のリアルタイム音声テキスト変換の場合と、音声ファイル選択後の音声テキスト変換の場合のどちらにも適用することができる。
【０２５８】
図９Ｆの（ａ）を参照すると、移動端末機１００は、移動端末機１００の使用者の選択入力に基づいて、移動端末機１００に保存された音声ファイルのうち特定の音声ファイルＢ００１．ｗｍｖを選択する。保存された音声ファイルは、現在録音中の音声の一時保存ファイルであってもよい。
【０２５９】
特定の音声ファイルＢ００１．ｗｍｖが選択されると、移動端末機１００は、選択された特定の音声ファイルＢ００１．ｗｍｖに対して音声テキスト変換を行う。選択された特定の音声ファイルＢ００１．ｗｍｖは、再生されるか、音声テキスト変換に基づいて生成されたテキストが移動端末機１００の画面の一部領域に出力される。この場合、再生とテキスト出力が共に行われるようにしてもよい。
【０２６０】
使用者は、特定の音声ファイルＢ００１．ｗｍｖが削除すべき音声区間（又は部分）Ａ２１０を含む場合、音声ファイル編集方法に基づいて、削除すべき音声区間Ａ２１０を削除し、新しい音声ファイルＢ００２．ｗｍｖを生成することができる。
【０２６１】
より具体的には、図示のように、移動端末機１００は、移動端末機１００の使用者の選択入力に基づいて、生成されたテキストのうち特定のテキストＴ２１０を選択する。
【０２６２】
使用者の選択入力は、様々な方法で移動端末機１００に対して行われる。例えば、図９Ｆの（ａ）のように、使用者は移動端末機１００に対してタッチ入力を行う。次に、使用者はタッチ入力に基づいてドラッグイベントを発生させる。すなわち、移動端末機１００は、ドラッグにより特定のテキストＴ２１０を選択する。ここで、特定のテキストＴ２１０は、対応する音声ファイル（Ｂ００１．ｗｍｖ）の特定の音声区間Ａ２１０であってもよい。使用者の選択入力は、これに限定されるものではなく、その他の様々な入力方式を適用できることは、本発明の属する技術の分野における通常の知識を有する者にとって自明である。
【０２６３】
図９Ｆの（ｂ）を参照すると、移動端末機１００は、特定のテキストＴ２１０に対応する音声ファイルＢ００１．ｗｍｖの特定の音声区間Ａ２１０を削除し、音声ファイルＢ００１．ｗｍｖのうち削除された音声区間Ａ２１０を除く残りの部分を含む新しい音声ファイルＢ００２．ｗｍｖを生成する。
【０２６４】
図９Ｆの（ｂ）から分かるように、この場合、新しい音声ファイルＢ００２．ｗｍｖには、特定の音声区間Ａ２１０に対応する音声又は特定のテキストＴ２１０に対応する音声区間Ａ２１０がない。
【０２６５】
第４実施形態の変形例によれば、使用者は、音声ファイルの一部の音声区間を選択し、一部の音声区間のテキストを別に保存することができる。
【０２６６】
また、移動端末機１００は、音声ファイルＢ００１．ｗｍｖに対応する再生音声区間インジケータ（例えば、図９Ｆの（ａ）のプログレスバー）を、移動端末機１００の画面に表示するようにしてもよい。さらに、使用者は、タッチやドラッグにより、インジケータ上で特定の音声区間Ａ２１０を選択することができる。
【０２６７】
図１０Ａは本明細書に開示された第４実施形態による音声ファイル編集方法の変形例を示すフローチャートである。
図１０Ａを参照すると、音声ファイル編集方法においては、まず、電子機器、例えば移動端末機１００は、移動端末機１００に保存された複数の音声ファイルのうち特定の音声ファイルを選択する（Ｓ３０５１）。そして、移動端末機１００は、選択された音声ファイルに対してリアルタイム音声テキスト変換を行う。この場合、選択された音声ファイルの再生が共に行われるようにしてもよい。
【０２６８】
次に、移動端末機１００は、リアルタイム音声テキスト変換に基づいて、音声ファイルに対応するテキスト（文字列又はスクリプト）を生成する（Ｓ３０５２）。
【０２６９】
次に、使用者により生成されたテキスト（文字列又はスクリプト）の特定の区間が選択される（Ｓ３０５３）。次に、移動端末機１００は、選択された特定の区間に優先順位を付与するか、又は選択された特定の区間に対応する新しい音声ファイルを生成する（Ｓ３０５４）。
【０２７０】
図１０Ｂは図１０Ａに開示された音声ファイル編集方法の一例を示す図である。図１０Ｂに開示された音声ファイル編集方法は、音声ファイル再生中のリアルタイム音声テキスト変換の場合と、音声ファイル選択後の音声テキスト変換の場合のどちらにも適用することができる。
【０２７１】
図１０Ｂの（ａ）を参照すると、移動端末機１００は、移動端末機１００の使用者の選択入力に基づいて、移動端末機１００に保存された音声ファイルのうち特定の音声ファイルＣ００１．ｗｍｖを選択する。
【０２７２】
特定の音声ファイルＣ００１．ｗｍｖが選択されると、移動端末機１００は、移動端末機１００の画面の一部領域に、音声テキスト変換に基づいて生成されたテキストを表示する。この場合、移動端末機１００は、選択された特定の音声ファイルＣ００１．ｗｍｖのテキスト出力及び再生を共に行うようにしてもよい。
【０２７３】
使用者は、特定の音声ファイルＣ００１．ｗｍｖの音声区間のうち一部の音声区間Ａ３１０（又はテキスト区間Ｔ３１０）に優先順位を付与したい場合、図１０Ａに開示された音声ファイル編集方法に基づいて、一部の音声区間Ａ３１０に優先順位が付与されたファイルＣ００２．ｗｍｖを生成することができる。例えば、図１０Ｂの（ａ）のようにテキストへの連続タッチが感知されると、移動端末機１００は、最初のタッチを開始地点として次のタッチを終了地点とする音声区間Ａ３１０を選択する。他の例として、音声区間の選択はドラッグにより行われるようにしてもよい。
【０２７４】
このようにして音声区間Ａ３１０に優先順位が付与され、新しいファイルＣ００２．ｗｍｖとして保存される。ただし、本発明はこれに限定されるものではなく、音声区間Ａ３１０に優先順位が付与され、最初の音声ファイルＣ００１．ｗｍｖがアップデートされるようにしてもよい。使用者により優先順位が付与されたファイルＣ００２．ｗｍｖが選択されると、図１０Ｂの（ｂ）のように、優先順位が付与された音声区間Ａ３１０から音声出力が行われる。
【０２７５】
前述したように、本明細書に開示された第４実施形態によれば、音声ファイルの編集を容易に行うことができる。
【０２７６】
以下、本明細書に開示される第５実施形態について説明する。
本明細書に開示された第５実施形態は、前述した実施形態における構成又は段階の一部又は組み合わせとして実現してもよく、前述した実施形態の組み合わせとして実現してもよい。以下、本明細書に開示された第５実施形態をより明確に説明するために、重複する説明は省略する。
【０２７７】
本明細書に開示された第５実施形態は、電子機器、例えば移動端末機１００に保存された音声ファイル（又は音声メモ、以下「音声メモ」という）のクラスタリング方法に関するものである。
【０２７８】
クラスタリングとは、類似性などの概念に基づいてデータをいくつかのグループに分類する方法の総称である。
一般に、クラスタリングは、文献検索、パターン認識、経営科学などに幅広く応用されている。
【０２７９】
本明細書に開示された第５実施形態においては、クラスタリング方法により使用者が移動端末機１００に保存された音声メモの分類基準を選択できるようにする。移動端末機１００は、選択された分類基準に基づいて音声メモを分類し、リスト化して音声メモのリストを生成し、生成された音声メモのリストを移動端末機１００の画面に表示する。
【０２８０】
また、本明細書に開示された第５実施形態は、移動端末機１００が音声メモの内容を分析して関連情報を画面に表示して、移動端末機１００の使用者が特定人に容易に連絡又は特定内容の伝達を行えるようにする方法に関するものである。これを音声メモ（又は音声ファイル）に基づくダイレクトアクセス方法ともいう。ここで、関連情報は、音声メモの内容に関連する場所、スケジュール、氏名、連絡先（例えば、電話番号、電子メールアドレス）のポップアップウィンドウ又はリンク情報などである。
【０２８１】
図１１Ａは本明細書に開示された第５実施形態による音声メモのクラスタリング方法（又は分類方法）を示すフローチャートである。図１１Ａを参照すると、音声メモのクラスタリング方法（又は分類方法）は、次のような段階からなるようにしてもよい。
【０２８２】
まず、移動端末機１００は、移動端末機１００に保存された音声ファイルの再生又は録音に関するＵＩ（User Interface）画面を、移動端末機１００の画面に表示する（Ｓ３０７１）。
次に、移動端末機１００は、移動端末機１００の使用者の選択入力に基づいて、ＵＩ画面で音声ファイルの分類メニューを選択する（Ｓ３０７２）。
【０２８３】
次に、移動端末機１００は、使用者の選択入力に基づいて、分類メニューのうち特定の分類基準を選択する（Ｓ３０７３）。
【０２８４】
次に、移動端末機１００は、選択された分類基準に基づいて、音声ファイルのリストを移動端末機１００の画面に表示する（Ｓ３０７４）。
ここで、音声ファイルの再生又は録音に関するＵＩは、様々なＵＩ要素を含んでもよい。すなわち、ＵＩは、移動端末機１００による音声ファイルの再生又は録音機能に関連する様々なＵＩ要素を含んでもよい。
【０２８５】
例えば、ＵＩ（特に、ＧＵＩ）は、音声ファイルに対応する再生ボタン、再生中止ボタン、倍速再生ボタン、スロー再生ボタン、早送りボタン、巻き戻しボタン、音声ファイルの再生音声区間又は再生時点を示すインジケータ、移動端末機１００の使用者の音声録音ボタン、録音中止ボタン、及び音声ファイルの音声テキスト変換結果であるテキスト表示に関連するＵＩ要素の少なくとも１つを含む。
【０２８６】
図１１Ｂは本明細書に開示された第５実施形態による音声メモのクラスタリング方法の一例を示す図である。
【０２８７】
図１１Ｂを参照すると、移動端末機１００は、移動端末機１００に保存された音声メモの再生又は録音に関するＵＩを、移動端末機１００の画面に表示するようにしてもよい。前述したように、ＵＩは、保存された音声メモのクラスタリング（又は分類）を示すインジケータを含んでもよい。
【０２８８】
インジケータは、クラスタリング（又は分類）の分類メニューをアクティブにするボタンＵ１１０であってもよい。
【０２８９】
移動端末機１００の使用者により分類メニューをアクティブにするボタンＵ１１０が選択されると、移動端末機１００は、保存された音声メモの分類メニューＰ１１０を、移動端末機１００の画面に表示するようにしてもよい。
分類メニューＰ１１０は、保存された音声メモに関する様々な分類基準に関連するＵＩ要素を含んでもよい。
【０２９０】
例えば、分類基準に関連するＵＩ要素は、分類基準を選択するための選択ボタンであってもよい。また、分類基準は、図１１Ｂのように、音声メモに関連する「主題」ボタンＰ１１１、「話者」ボタン、「場所」ボタン、又は「時間」ボタンであってもよい。
【０２９１】
本明細書に開示された第５実施形態によれば、移動端末機１００の使用者により分類ボタンのうち「主題」ボタンＰ１１１が選択されると、移動端末機１００は、音声メモを「主題」別にクラスタリング（又は分類）してリスト化し、音声メモのリストＬ１１０を移動端末機１００の画面に表示する。
【０２９２】
例えば、図１１Ｂのように音声メモが会議に関連する主題を有する場合、移動端末機１００は、音声メモを会議の主題別にリスト化し、音声メモのリストＬ１１０を移動端末機１００の画面に表示する。
【０２９３】
図１１Ｃは本明細書に開示された第５実施形態による音声メモの内容に基づくダイレクトアクセス方法の一例を示す図である。
【０２９４】
図１１Ｃを参照すると、移動端末機１００は、移動端末機１００に保存された音声メモの再生又は録音に関するＵＩを、移動端末機１００の画面に表示するようにしてもよい。
【０２９５】
移動端末機１００は、移動端末機１００の使用者のＵＩによる選択入力に基づいて、移動端末機１００に保存された音声ファイルのうち特定の音声ファイル（Ｄ００１．ｗｍｖ）を選択及び再生するようにしてもよい。
【０２９６】
この場合、移動端末機１００は、特定の音声ファイル（Ｄ００１．ｗｍｖ）に対して音声テキスト変換を行い、音声テキスト変換に基づいて生成されたテキストを移動端末機１００の画面の一部領域に表示するようにしてもよい。また、テキストが出力された状態では、前述したように、現在の再生時点を示すインジケータが出力されるようにしてもよい。
【０２９７】
本明細書に開示された第５実施形態によれば、移動端末機１００は、音声メモの内容を分析し、音声メモに関する情報を移動端末機１００の画面に表示することができる。
【０２９８】
例えば、音声メモに関する情報は、音声メモが録音された場所、音声メモに関連する人のスケジュール、音声メモに関連する人の氏名、音声メモに関連する人の連絡先、及び音声メモに関連する人の電子メールアドレスの少なくとも１つを含む。
【０２９９】
移動端末機１００は、ポップアップウィンドウＩ１１０により、音声メモに関する情報を画面に表示するようにしてもよい。
【０３００】
本明細書に開示された第５実施形態によれば、移動端末機１００の使用者によりポップアップウィンドウＩ１１０に含まれる特定の情報が選択（例えば、画面へのタッチ入力に基づく選択）されると、移動端末機１００は、選択された特定の情報に基づいて直接特定の情報に関連する人に連絡又はコンタクトできる機能を提供する。前述したように、これを音声メモに関する情報に基づくダイレクトアクセス機能ともいう。
【０３０１】
例えば、図１１Ｃのように、移動端末機１００の使用者によりポップアップウィンドウＩ１１０に含まれる特定の情報のうち連絡先部分が選択されると、移動端末機１００は、連絡先の電話番号に対する通話接続機能を実行する。
【０３０２】
また、移動端末機１００の使用者によりポップアップウィンドウＩ１１０に含まれる特定の情報のうち電子メール部分が選択されると、移動端末機１００は、電子メールのアドレスに電子メールを送信できるように、電子メール送信機能を提供するアプリケーション（例えば、電子メール編集プログラム、アウトルックプログラム）を実行する。
【０３０３】
本明細書に開示された第６実施形態は、前述した実施形態における構成又は段階の一部又は組み合わせとして実現してもよく、前述した実施形態の組み合わせとして実現してもよい。以下、本明細書に開示された第６実施形態をより明確に説明するために、重複する説明は省略する。
【０３０４】
本明細書に開示された第６実施形態は、移動端末機１００に保存された音声メモに含まれる特定の音声区間の検索機能（サーチ機能）に関するものである。検索機能は、音声メモに含まれる特定の音声区間のナビゲーション機能ともいえる。また、検索機能は、音声メモに含まれる特定の音声区間の音声スキャン機能ともいえる。
【０３０５】
また、本明細書に開示された第６実施形態は、音声メモの音声テキスト変換結果であるテキストのうち、特定の音声区間に対応する特定のテキスト区間の検索、ナビゲーション、又は音声スキャン機能に関するものである。
【０３０６】
よって、本明細書に開示された第６実施形態においては、音声メモの検索機能と音声メモの音声テキスト変換結果であるテキストの検索機能との間に可逆的な関係があり得る。
【０３０７】
すなわち、音声メモの検索機能が実行される場合、音声メモに対応するテキストの検索機能も共に実行されるようにすることができる。また、音声メモに対応するテキストの検索機能が実行される場合、音声メモの検索機能も共に実行されるようにすることができる。
【０３０８】
図１２Ａは本明細書に開示された第６実施形態による音声メモの検索機能実行方法を示すフローチャートである。図１２Ａを参照すると、音声メモの検索機能実行方法は、次のような段階からなるようにしてもよい。
【０３０９】
まず、電子機器、例えば移動端末機１００は、移動端末機１００に保存された複数の音声ファイルのうち特定の音声ファイルを再生する（Ｓ３０８１）。
【０３１０】
次に、移動端末機１００は、再生される特定の音声ファイルに対してリアルタイム音声テキスト変換を行い、リアルタイム音声テキスト変換に基づいて、音声ファイルに対応するテキスト（文字列又はスクリプト）を生成する（Ｓ３０８２）。ただし、テキストを生成するステップ（Ｓ３０８２）は、既に音声テキスト変換によりテキストが生成されている場合や、他の方法によりテキストが生成されている場合は省略してもよい。
【０３１１】
次に、移動端末機１００は、移動端末機１００の使用者の選択入力に基づいて、音声ファイルの特定の再生時点を選択する（Ｓ３０８３）。このために、移動端末機１００は、テキスト（文字列又はスクリプト）のうち特定の再生時点に対応するテキスト部分を、移動端末機１００の画面に表示する（Ｓ３０８４）。
【０３１２】
図１２Ｂは本明細書に開示された第６実施形態による音声メモの検索機能実行方法の一例を示す図である。
【０３１３】
移動端末機１００は、移動端末機１００に保存された音声メモ（又は音声ファイル）の再生又は録音に関するＵＩを、移動端末機１００の画面に表示するようにしてもよい。
【０３１４】
図１２Ｂを参照すると、移動端末機１００は、移動端末機１００の使用者の選択入力に基づいて、移動端末機１００に保存された音声ファイルのうち特定の音声ファイルＥ００１．ｗｍｖを選択及び再生する。このとき、移動端末機１００は、音声に対応するテキストを移動端末機１００の画面の一部領域に表示するようにしてもよい。
【０３１５】
本明細書に開示された第６実施形態によれば、移動端末機１００の使用者により特定の音声ファイルＥ００１．ｗｍｖの音声区間のうち特定の再生時点Ｐ２１０が選択されると、移動端末機１００は、テキストのうち特定の再生時点Ｐ２１０に対応する部分を検索し、移動端末機１００の画面に表示する。
【０３１６】
図１２Ｂの（ａ）を参照してテキストの検索機能について具体的に説明すると次の通りである。
【０３１７】
移動端末機１００は、音声ファイルＥ００１．ｗｍｖに対応する再生音声区間インジケータ（例えば、図９Ｆの（ａ）のプログレスバー）を、移動端末機１００の画面に表示する。
【０３１８】
また、移動端末機１００は、移動端末機１００の使用者のタッチ入力に基づいて、インジケータ上で特定の再生時点Ｐ２１０を選択する。さらに、使用者がプログレスバーを用いて検索する際に出力されるテキストとプログレスバーとは連動するようにすることができる。
【０３１９】
このような例として、移動端末機１００は、音声ファイルＥ００１．ｗｍｖを特定の再生時点Ｐ２１０から再生すると共に、音声ファイルＥ００１．ｗｍｖに対応するテキストのうち選択された特定の再生時点Ｐ２１０に対応する特定のテキストＴ４１０を、移動端末機１００の画面に表示する。
【０３２０】
より具体的には、電子機器の制御部は、使用者の要求に応じて、保存された音声メモ（音声ファイル）の再生に関連する動作モードに移行し、動作モードで電子機器の画面の少なくとも一部の領域に音声メモの再生時点に対応するテキストを表示し、音声メモの再生時点を変更させる制御命令を感知し、表示されたテキストを変更させる再生時点に対応するように変更して出力する。
【０３２１】
電子機器の画面には、音声メモの時間情報を示すプログレスバーが表示され、音声メモの再生時点は、プログレスバーのタッチ地点に対応して変更される。この場合、テキストは、使用者の音声から音声テキスト変換に基づいて生成されたものであり、テキストは、音声メモの再生に連動してスクロールされて表示されるようにしてもよい。
【０３２２】
他の例として、図１２Ｂの（ｂ）を参照すると、移動端末機１００の使用者の制御命令の入力により別の検索ウィンドウがポップアップするようにしてもよい。検索ウィンドウは、図１２Ｂの（ｂ）のように、検索する単語を入力できるように設けられてもよく、図１２Ｂの（ａ）のように、プログレスバーが検索バーとして出力されるようにしてもよい。前者の場合、使用者は単語を入力して検索を行い、検索結果の出力は入力された単語が用いられた区間を使用者に選択させることができるように行ってもよい。後者の場合、使用者はプログレスバーの特定の地点をタッチして検索を行い、前述した例のように、タッチ時に画面には特定の地点に対応するテキスト（又はテキストを含む文章）が出力されるようにしてもよい。
【０３２３】
図１２Ｃは本明細書に開示された第６実施形態による音声メモの検索機能実行方法を示すフローチャートである。
【０３２４】
図１２Ｃを参照すると、本明細書に開示された第６実施形態による音声メモ（又は音声ファイル）の検索機能実行方法は、次のような段階からなるようにしてもよい。
図１２Ｃに開示された音声メモの検索機能実行方法のステップＳ３０９１及びＳ３０９２は、図１２Ａに開示された音声メモの検索機能実行方法のステップＳ３０８１及びＳ３０８２と同様に行われてもよい。
【０３２５】
図示のように、移動端末機１００は、ステップＳ３０９２を行った後、移動端末機１００の使用者の選択入力に基づいて、テキスト（文字列又はスクリプト）のうち特定の部分を選択し（Ｓ３０９３）、テキストの特定の部分に対応する音声ファイル部分を再生する（Ｓ３０８４）。
【０３２６】
ただし、本発明はこれに限定されるものではない。例えば、音声テキスト変換の実行後に音声ファイルが保存される際には、新しいテキストファイルも音声ファイルと共に保存されるようにしてもよい。これにより、後で音声ファイルを再生する際に、音声テキスト変換過程を行うことなく、テキストファイルを用いて、再生される音声に対応するテキストを直ちに出力することができる。このような動作のために、テキストの特定の部分に対応する時間と、音声ファイルのうちテキストの特定の部分に対応する部分の時間とを同期化してもよい。
【０３２７】
図１２Ｄは本明細書に開示された第６実施形態による音声メモの検索機能実行方法の一例を示す図である。
【０３２８】
移動端末機１００は、移動端末機１００に保存された音声メモ（又は音声ファイル）の再生又は録音に関するＵＩを、移動端末機１００の画面に表示するようにしてもよい。
【０３２９】
図１２Ｄの（ａ）を参照すると、移動端末機１００は、移動端末機１００の使用者の選択入力に基づいて、移動端末機１００に保存された音声ファイルのうち特定の音声ファイルＦ００１．ｗｍｖを選択及び再生する。また、移動端末機１００は、移動端末機１００の画面の一部領域に、音声テキスト変換に基づいて生成されたテキストＴ５１０を表示する。
【０３３０】
移動端末機１００は、使用者の選択入力に基づいて、生成されたテキストＴ５１０のうち特定のテキストＴ５２０を選択する。
【０３３１】
特定のテキストＴ５２０の選択は、使用者のタッチ入力及びタッチ入力に基づいて発生するドラッグイベントに基づいて行われるようにしてもよい。移動端末機１００は、ドラッグイベントに基づいて特定のテキストＴ５２０を選択することができる。
【０３３２】
図１２Ｄの（ｂ）を参照すると、特定のテキストＴ５２０が選択されると、移動端末機１００は、音声ファイルＦ００１．ｗｍｖの再生時点を、現在の再生時点Ｐ３１０から特定のテキストＴ５２０に対応する特定の再生時点Ｐ３２０に変更する。
【０３３３】
このとき、移動端末機１００は、音声ファイルＦ００１．ｗｍｖの再生時点を変更すると共に、特定の再生時点Ｐ３２０に対応するテキストＴ５３０を移動端末機１００の画面の上端に表示するようにしてもよい。
【０３３４】
他の例として、図１２Ｅを参照すると、移動端末機１００は、音声再生中に移動端末機１００の使用者によりプログレスバーの特定の地点がタッチされると、その特定の地点に対応する特定の時点のテキストをインジケータと共に出力する。その後、使用者によりテキスト又はインジケータがタッチされると、移動端末機１００は、その部分に対応するように音声ファイルＧ００１．ｗｍｖの再生時点を変更すると共に、再生時点に対応するテキストを移動端末機１００の画面の一部領域に表示する。
【０３３５】
図１２Ｆは本明細書に開示された第６実施形態による音声スキャン方法の一例を示す図である。
図１２Ｆに開示された第６実施形態においては、移動端末機１００が移動端末機１００に保存された音声ファイルの再生と共に、音声ファイルの音声テキスト変換に基づいて生成されたテキストのうち音声ファイルの再生時点に対応する特定のテキスト部分に対して特定の効果を与えて移動端末機１００の画面に表示することに関するものである。
【０３３６】
例えば、特定の効果は、特定のテキスト部分を画面の右から左に移動させる効果であってもよい。また、特定のテキストの移動は、水が流れるような効果を与えて表示することもできる。
【０３３７】
また、特定の効果は、特定のテキスト部分をハイライト表示する効果であってもよい。この場合、ハイライト表示効果は、特定のテキスト部分を強調する（例えば、他のテキスト部分より相対的に濃い字又は大きい字にする）効果であってもよい。
【０３３８】
さらに、図１２Ｆに開示された第６実施形態による音声スキャン方法においては、移動端末機１００に保存された音声ファイルの再生中に、移動端末機１００の使用者の選択入力により音声ファイルの再生時点が変更された場合、変更された再生時点に対応するテキスト部分に変更して表示する機能を含んでもよい。
【０３３９】
図１２Ｆの（ａ）を参照すると、移動端末機１００は、音声ファイルの第１再生時点Ｐ４１０を再生している。
【０３４０】
この場合、移動端末機１００は、第１再生時点Ｐ４１０に対応するテキストＴ６１０（「イ・デホ選手は３０日…」）を移動端末機１００の画面に表示する。
【０３４１】
図１２Ｆの（ｂ）を参照すると、移動端末機１００の使用者により音声ファイルの再生時点が第２再生時点Ｐ４２０に変更されると、移動端末機１００は、音声ファイルの再生時点の変更と共に、第２再生時点Ｐ４２０に対応するテキストＴ６２０（「同点ソロホームランを…」）を移動端末機１００の画面に表示する。
【０３４２】
図１２Ｇは本明細書に開示された第６実施形態による音声ファイルの言語情報変更方法の一例を示す図である。
【０３４３】
図１２Ｇを参照すると、移動端末機１００は、特定の国の言語の音声を他の国の言語の音声に変更して音声録音を行うことができる。
【０３４４】
例えば、移動端末機１００による音声録音機能の実行中に、移動端末機１００の使用者が「私は少年です。」と日本語で話した場合、移動端末機１００は、日本語の音声をそのまま録音することもでき、日本語の音声を翻訳して英語の音声（例えば、「I AM A BOY.」）を録音することもできる。
【０３４５】
この場合、移動端末機１００は、英語の音声を保存すると共に、英語の音声をスピーカなどの音声出力装置から出力することができる。
また、移動端末機１００は、英語の音声に対して音声テキスト変換を行い、英語の音声に対応するテキストを生成することができる。
【０３４６】
さらに、移動端末機１００は、英語の音声に対応するテキストを移動端末機１００の画面に表示することができる。
【０３４７】
本明細書に開示された第７実施形態は、前述した実施形態における構成又は段階の一部又は組み合わせとして実現してもよく、前述した実施形態の組み合わせとして実現してもよい。以下、本明細書に開示された第７実施形態をより明確に説明するために、重複する説明は省略する。
【０３４８】
本明細書に開示された第７実施形態は、電子機器、例えば移動端末機１００に保存された音声メモ（又は音声ファイル）の自動再生機能に関するものであり、移動端末機１００の使用者の身体の一部分（例えば、使用者の耳）が移動端末機１００に近接すると音声メモ（又は音声ファイル）の自動再生機能が活性化されることに関するものである。
【０３４９】
図１３Ａは本明細書に開示された第７実施形態による音声ファイルの自動再生方法を示すフローチャートであり、図１３Ｂは本明細書に開示された第７実施形態による音声ファイルの自動再生方法の一例を示す図である。
【０３５０】
図１３Ａを参照すると、本明細書に開示された第７実施形態による音声ファイルの自動再生方法は、次のような段階からなるようにしてもよい。
まず、移動端末機１００は、移動端末機１００に保存された複数の音声ファイルのうち特定の音声ファイルを選択する（Ｓ３１１１）。その後、移動端末機１００の使用者の身体の一部分が移動端末機１００に近接すると、移動端末機１００は、特定の音声ファイルを再生する（Ｓ３１１２）。
【０３５１】
図１３Ｂを参照すると、移動端末機１００は、移動端末機１００に保存された音声ファイルのリストを移動端末機１００の画面に表示する。
この場合、移動端末機１００の使用者は、音声ファイルのリストのうち特定の音声ファイルＣ００１．ｗｍｖを選択することができる。特定の音声ファイルの選択は、使用者によるタッチ入力に基づいて行われるようにしてもよい。
【０３５２】
図１３Ｃを参照すると、使用者の身体の一部分（例えば、使用者の耳）が移動端末機１００に近接すると、移動端末機１００は、特定の音声ファイルＣ００１．ｗｍｖを自動で再生する。
【０３５３】
以上、音声ファイルに関連する全プロセスを実施形態に分けて具体的に説明した。以下、上記機能を実現する移動端末機のハードウェア構成について説明し、さらに、上記機能を適用できる電子機器のうち画像表示器及び冷蔵庫のハードウェア構成について説明する。
【０３５４】
図１４は上記機能を実現する移動端末機の構成を示すブロック図である。
移動端末機１００は、無線通信部１１０、Ａ／Ｖ（Audio/Video）入力部１２０、ユーザ入力部１３０、感知部１４０、出力部１５０、メモリ（又は保存部）１６０、インタフェース部１７０、制御部１８０、電源供給部１９０などを含む。図１４に示す全ての構成要素が必須構成要素であるわけではなく、本発明による移動端末機は、図示の構成要素よりも多い構成要素で実現してもよく、それより少ない構成要素で実現してもよい。
【０３５５】
以下、構成要素について順次説明する。
無線通信部１１０は、移動端末機１００と無線通信システム間の無線通信、又は移動端末機１００と移動端末機１００の位置するネットワーク間の無線通信を可能にする少なくとも１つのモジュールを含む。例えば、無線通信部１１０は、放送受信モジュール１１１、移動通信モジュール１１２、無線インターネットモジュール１１３、近距離通信モジュール１１４、位置情報モジュール１１５などを含む。
【０３５６】
放送受信モジュール１１１は、放送チャネルを介して、外部の放送管理サーバから放送信号及び／若しくは放送関連情報を受信する。
【０３５７】
放送チャネルは、衛星チャネル及び地上波チャネルを含む。放送管理サーバは、放送信号及び／若しくは放送関連情報を生成して送信するサーバ、又は既に生成されて提供された放送信号及び／若しくは放送関連情報を送信するサーバを含む。
【０３５８】
放送信号は、テレビ放送信号、ラジオ放送信号、データ放送信号を含むだけでなく、テレビ放送信号又はラジオ放送信号にデータ放送信号が結合した形態の放送信号も含む。
【０３５９】
放送関連情報は、放送チャネル、放送番組、又は放送サービスプロバイダに関する情報を含む。放送関連情報は、移動通信網を介して提供することもでき、この場合、移動通信モジュール１１２により受信することができる。
放送関連情報は様々な形態で存在する。例えば、ＤＭＢ（Digital Multimedia Broadcasting）のＥＰＧ（Electronic Program Guide）、又はＤＶＢ−Ｈ（Digital Video Broadcast-Handheld）のＥＳＧ（Electronic Service Guide）などの形態で存在する。
【０３６０】
放送受信モジュール１１１は、例えばＤＭＢ−Ｔ（Digital Multimedia Broadcasting-Terrestrial）、ＤＭＢ−Ｓ（Digital Multimedia Broadcasting-Satellite）、ＭｅｄｉａＦＬＯ（Media Forward Link Only）、ＤＶＢ−Ｈ、ＩＳＤＢ−Ｔ（Integrated Services Digital Broadcast-Terrestrial）などのデジタル放送システムを利用してデジタル放送信号を受信することができる。もちろん、放送受信モジュール１１１は、前述したデジタル放送システムだけでなく、他の放送システムに適合するように構成してもよい。
放送受信モジュール１１１により受信された放送信号及び／若しくは放送関連情報は、メモリ１６０に保存することができる。
【０３６１】
移動通信モジュール１１２は、移動通信網上で基地局、外部の端末、サーバの少なくとも１つと無線信号を送受信する。無線信号は、音声呼信号、テレビ電話呼信号、又はＳＭＳ／ＭＭＳメッセージの送受信による様々な形態のデータを含む。
【０３６２】
無線インターネットモジュール１１３は、無線インターネットの接続のためのモジュールであり、移動端末機１００に内蔵されるか又は外付けされる。無線インターネット技術としては、ＷＬＡＮ（Wireless LAN）、Ｗｉ−Ｆｉ（Wireless Fidelity）ダイレクト、ＤＬＮＡ（Digital Living Network Alliance）、Ｗｉｂｒｏ（Wireless Broadband）、ＷｉＭＡＸ（Worldwide Interoperability for Microwave Access）、ＨＳＤＰＡ（High Speed Downlink Packet Access）などを用いることができる。
【０３６３】
近距離通信モジュール１１４は近距離通信のためのモジュールである。近距離通信技術としては、ブルートゥース（BluetoothTM）、ＲＦＩＤ（Radio Frequency Identification）、ＩｒＤＡ（Infrared Data Association）、ＵＷＢ（Ultra Wideband）、ＺｉｇＢｅｅ、ＮＦＣ（Near Field Communication）などを用いることができる。
【０３６４】
位置情報モジュール１１５は、移動端末機１００の位置を取得するためのモジュールであり、代表的な例としては、ＧＰＳ（Global Position System）モジュールやＷｉ−Ｆｉモジュールがある。
【０３６５】
Ａ／Ｖ入力部１２０は、オーディオ信号又はビデオ信号の入力のためのものであり、カメラ１２１やマイク１２２などを含む。カメラ１２１は、テレビ電話モード又は撮影モードでイメージセンサにより得られる静止画像又は動画像などの画像フレームを処理する。
【０３６６】
そして、カメラ１２１で処理された画像フレームは、ディスプレイ部１５１に表示することができる。また、カメラ１２１で処理された画像フレームは、メモリ１６０に保存したり、無線通信部１１０により外部に伝送することもできる。カメラ１２１は、使用環境に応じて２つ以上備えてもよい。
【０３６７】
マイク１２２は、通話モード、録音モード、又は音声認識モードなどで、マイク１２２に入力された外部の音響信号を電気的な音声データに処理する。そして、マイク１２２で処理された音声データは、通話モードの場合、移動通信モジュール１１２により移動通信基地局に送信可能な形態に変換して出力することができる。マイク１２２には、外部の音響信号が入力される過程で発生するノイズを除去するための様々なノイズ除去アルゴリズムが実現される。
【０３６８】
さらに、Ａ／Ｖ入力部１２０は、音声録音に用いることもできる。音声録音機能の実現のために、Ａ／Ｖ入力部１２０は、録音機能部１２３及び変換部１２４と連動する。
【０３６９】
録音機能部１２３は、外部の音を録音して音声ファイルとして保存する機能を果たし、変換部１２４は、音に含まれる音声を音声テキスト変換に基づいてテキストに変換する機能を果たす。制御部１８０は、テキストから核心キーワードを検出し、検出された核心キーワードを音声ファイルのファイル名の少なくとも一部として設定する。これにより、音声ファイルのファイル名を容易に設定することができる。
【０３７０】
ユーザ入力部１３０は、使用者により端末機の動作制御のための入力データを発生する。ユーザ入力部１３０は、キーパッド、ドームスイッチ、タッチパッド（静圧／静電）、ジョグホイール、ジョグスイッチなどで構成してもよい。
【０３７１】
感知部１４０は、移動端末機１００の開閉状態、移動端末機１００の位置、移動端末機１００の方位又は加速／減速、使用者の接触の有無などの移動端末機１００の現在の状態を感知し、移動端末機１００の動作を制御するための感知信号を発生する。例えば、移動端末機１００がスライドタイプの場合、移動端末機１００の開閉状態を感知することができる。また、電源供給部１９０から電源が供給されるか否か、インタフェース部１７０に外部機器が結合されたか否かなどを感知することもできる。なお、感知部１４０は近接センサ１４１を含んでもよい。
【０３７２】
出力部１５０は、視覚、聴覚、又は触覚などに関連する出力を発生するためのものであり、ディスプレイ部１５１、音響出力モジュール１５２、アラーム部１５３、ハプティックモジュール１５４などを含む。
【０３７３】
ディスプレイ部１５１は、移動端末機１００で処理される情報を表示（出力）する。例えば、移動端末機１００が通話モードの場合は、通話に関するＵＩ若しくはＧＵＩを表示する。また、移動端末機１００がテレビ電話モード又は撮影モードの場合は、撮影及び／若しくは受信した画像、又はＵＩ、ＧＵＩを表示する。
【０３７４】
ディスプレイ部１５１は、液晶ディスプレイ（Liquid Crystal Display; LCD）、薄膜トランジスタ液晶ディスプレイ（Thin Film Transistor-Liquid Crystal Display; TFT-LCD）、有機発光ダイオード（Organic Light-Emitting Diode; OLED）、フレキシブルディスプレイ、３次元ディスプレイの少なくとも１つを含む。
【０３７５】
これらのディスプレイの一部は、そのディスプレイから外部が見えるように、透明型又は光透過型に構成してもよい。これは透明ディスプレイとも呼ばれ、透明ディスプレイの代表的な例としてはＴＯＬＥＤ（Transparent OLED）などがある。ディスプレイ部１５１の後方構造も光透過型構造に構成してもよい。このような構造により、使用者は端末機本体のディスプレイ部１５１が占める領域から端末機本体の後方に位置するものを見ることができる。
【０３７６】
移動端末機１００の実現形態に応じて、ディスプレイ部１５１を２つ以上備えてもよい。例えば、移動端末機１００には、複数のディスプレイ部を１つの面に離隔して又は一体に配置してもよく、異なる面にそれぞれ配置してもよい。
【０３７７】
ディスプレイ部１５１とタッチ動作を感知するセンサ（以下、「タッチセンサ」という）がレイヤ構造をなす場合（以下、「タッチスクリーン」という）、ディスプレイ部１５１は、出力装置の他に入力装置として使用することもできる。タッチセンサは、例えばタッチフィルム、タッチシート、タッチパッドなどの形態を有する。
【０３７８】
タッチセンサは、ディスプレイ部１５１の特定部位に加わった圧力又はディスプレイ部１５１の特定部位に発生する静電容量などの変化を電気的な入力信号に変換するように構成してもよい。タッチセンサは、タッチされる位置及び面積だけでなく、タッチ時の圧力までも検出できるように構成してもよい。
【０３７９】
タッチセンサへのタッチ入力がある場合、それに対応する信号がタッチ制御装置に送られる。タッチ制御装置は、その信号を処理して対応するデータを制御部１８０に送る。これにより、制御部１８０は、ディスプレイ部１５１のどの領域がタッチされたかなどが分かる。
【０３８０】
タッチスクリーンにより覆われる移動端末機１００の内部領域又はタッチスクリーンの近くには、近接センサ１４１を配置してもよい。近接センサとは、電磁界の力又は赤外線を利用して、所定の検出面に近づく物体又は近傍に存在する物体の有無を機械的な接触なしに検出できるセンサをいう。近接センサは、接触式センサより寿命が長く、その活用度も高い。
【０３８１】
近接センサとしては、透過型光電センサ、直接反射型光電センサ、回帰反射型光電センサ、高周波発振型近接センサ、静電容量型近接センサ、磁気近接センサ、赤外線近接センサなどがある。静電式タッチスクリーンは、ポインタの近接による電界の変化からポインタの近接を検出するように構成される。この場合、タッチスクリーン（タッチセンサ）は近接センサにも分類される。
【０３８２】
以下、説明の便宜上、ポインタをタッチスクリーン上に接触させるのではなく近接させてポインタがタッチスクリーン上に位置することを認識させることを「近接タッチ（proximity touch）」といい、ポインタをタッチスクリーン上に実際に接触させることを「接触タッチ（contact touch）」という。ポインタにより近接タッチされるタッチスクリーン上の位置とは、ポインタが近接タッチされる際にポインタがタッチスクリーンに対して垂直に対応する位置を意味する。
【０３８３】
近接センサ１４１は、近接タッチ動作及び近接タッチパターン（例えば、近接タッチ距離、近接タッチ方向、近接タッチ速度、近接タッチ時間、近接タッチ位置、近接タッチ移動状態など）を感知する。感知された近接タッチ動作及び近接タッチパターンに関する情報は、タッチスクリーン上に出力することができる。
【０３８４】
音響出力モジュール１５２は、呼受信モード、通話モード、録音モード、音声認識モード、又は放送受信モードなどで、無線通信部１１０から受信するか、又はメモリ１６０に保存されたオーディオデータを出力する。音響出力モジュール１５２は、移動端末機１００で実行される機能（例えば、呼信号受信音、メッセージ受信音など）に関連する音響信号も出力する。このような音響出力モジュール１５２は、レシーバ、スピーカ、ブザーなどを含む。
【０３８５】
アラーム部１５３は、移動端末機１００のイベント発生を通知するための信号を出力する。移動端末機１００で発生するイベントとしては、呼信号受信、メッセージ受信、キー信号入力、タッチ入力などがある。アラーム部１５３は、ビデオ信号やオーディオ信号以外に、他の形態、例えば振動でイベント発生を通知するための信号を出力することもできる。ビデオ信号又はオーディオ信号は、ディスプレイ部１５１又は音響出力モジュール１５２により出力することもできるので、ディスプレイ部１５１及び音響出力モジュール１５２はアラーム部１５３の一部にも分類される。
【０３８６】
ハプティックモジュール１５４は、使用者が感じることのできる様々な触覚効果を発生する。ハプティックモジュール１５４が発生する触覚効果の代表的な例としては振動がある。ハプティックモジュール１５４が発生する振動の強度やパターンなどは制御可能である。例えば、異なる振動を合成して出力することもでき、順次出力することもできる。
【０３８７】
ハプティックモジュール１５４は、振動の他にも、皮膚接触面に対して垂直運動するピン配列、噴射口又は吸入口を用いた空気の噴射力又は吸入力、皮膚表面に対する擦れ、電極の接触、静電気力などの刺激による効果や、吸熱又は発熱が可能な素子を用いた冷温感の再現による効果など、様々な触覚効果を発生することができる。
【０３８８】
ハプティックモジュール１５４は、直接的な接触により触覚効果を伝えることができるだけでなく、使用者が指や腕などの筋感覚により触覚効果を感じるように実現することもできる。ハプティックモジュール１５４は、移動端末機１００の構成態様に応じて２つ以上備えてもよい。
【０３８９】
メモリ１６０は、制御部１８０の動作のためのプログラムを保存することもでき、入出力されるデータ（例えば、電話帳、メッセージ、静止画像、動画像など）を一時保存することもできる。また、メモリ１６０は、タッチスクリーンのタッチ入力時にタッチスクリーンに出力される様々なパターンの振動及び音響に関するデータを保存することもできる。
【０３９０】
さらに、メモリ１６０は、特定の機能を実行するアプリケーションを保存することもできる。さらに、メモリ１６０は、録音により生成された音声ファイルを保存することもできる。
【０３９１】
メモリ１６０は、フラッシュメモリタイプ、ハードディスクタイプ、マルチメディアカードマイクロタイプ、カードタイプのメモリ（例えば、ＳＤ又はＸＤメモリなど）、ＲＡＭ（Random Access Memory）、ＳＲＡＭ（Static Random Access Memory）、ＲＯＭ（Read-Only Memory）、ＥＥＰＲＯＭ（Electrically Erasable Programmable Read-Only Memory）、ＰＲＯＭ（Programmable Read-Only Memory）、磁気メモリ、磁気ディスク、光ディスクの少なくとも１つのタイプの記憶媒体を含む。移動端末機１００は、インターネット上でメモリ１６０の保存機能を実行するウェブストレージに関連して動作することもできる。
【０３９２】
インタフェース部１７０は、移動端末機１００に接続される全ての外部機器との通路の役割を果たす。インタフェース部１７０は、外部機器からデータを受信するか、供給された電源を移動端末機１００内部の各構成要素に送るか、又は移動端末機１００内部のデータを外部機器に送信する。インタフェース部１７０は、例えば有無線ヘッドセットポート、外部充電器ポート、有無線データポート、メモリカードポート、識別モジュールが備えられた装置を接続するポート、オーディオＩ／Ｏ（Input/Output）ポート、ビデオＩ／Ｏポート、イヤホンポートなどを含む。
【０３９３】
識別モジュールは、移動端末機１００の使用権限を認証するための各種情報を保存したチップであり、ユーザ識別モジュール（User Identity Module; UIM）、加入者識別モジュール（Subscriber Identity Module; SIM）、汎用加入者識別モジュール（Universal Subscriber Identity Module; USIM）などを含む。識別モジュールが備えられた装置（以下、識別装置という）は、スマートカード形式で製造してもよい。よって、識別装置は、ポートを介して移動端末機１００に接続することができる。
【０３９４】
インタフェース部１７０は、移動端末機１００が外部のクレードルに接続された場合、クレードルからの電源が移動端末機１００に供給される通路となり、使用者によりクレードルから入力される各種命令信号が移動端末機１００に伝達される通路となる。クレードルから入力される各種命令信号又は電源は、移動端末機１００がクレードルに正しく取り付けられたことを認知するための信号としても機能する。
【０３９５】
通常、制御部１８０は、移動端末機１００の全般的な動作を制御する。例えば、音声通話、データ通信、テレビ電話などに関連する制御及び処理を行う。また、制御部１８０は、本明細書に開示された第１〜第７実施形態の動作を行う。
【０３９６】
さらに、制御部１８０は、マルチメディアを再生するためのマルチメディアモジュール１８１を備えてもよい。マルチメディアモジュール１８１は、制御部１８０内に実現してもよく、制御部１８０とは別に実現してもよい。
【０３９７】
さらに、制御部１８０は、タッチスクリーン上で行われる手書き入力及び手描き入力をそれぞれ文字及び画像として認識するパターン認識処理を行う。電源供給部１９０は、制御部１８０の制御下で、供給された外部の電源、内部の電源を各構成要素に必要に応じて供給する。
【０３９８】
ここに説明される様々な実施形態は、例えばソフトウェア、ハードウェア、又はこれらの組み合わせにより、コンピュータ又はこれと類似の装置で読み取りが可能な記録媒体内で実現することができる。
【０３９９】
ハードウェア的な実現においては、ここに説明される実施形態は、ＡＳＩＣｓ（Application Specific Integrated Circuits）、ＤＳＰｓ（Digital Signal Processors）、ＤＳＰＤｓ（Digital Signal Processing Devices）、ＰＬＤｓ（Programmable Logic Devices）、ＦＰＧＡｓ（Field Programmable Gate Arrays）、プロセッサ、制御装置、マイクロコントローラ、マイクロプロセッサ、その他の機能実行のための電気的なユニットの少なくとも１つを用いて実現してもよい。一部の場合、これらの実施形態は制御部１８０により実現してもよい。
【０４００】
ソフトウェア的な実現においては、ここに説明される手順や機能などの実施形態は、別のソフトウェアモジュールで実現してもよい。各ソフトウェアモジュールは、ここに説明される１つ以上の機能又は動作を行うようにしてもよい。ソフトウェアコードは、適切なプログラム言語で記述されたソフトウェアアプリケーションにより実現してもよい。また、ソフトウェアコードは、メモリ１６０に保存し、制御部１８０により実行してもよい。
【０４０１】
一方、前述した本発明の実施形態による移動端末機１００の機能は、後述する画像表示機器において実現することもできる。以下、本発明の実施形態による移動端末機１００の動作制御機能を備えた画像表示機器について図１５を参照して説明する。
【０４０２】
図１５は本発明の一実施形態による画像表示機器の構成を示すブロック図である。
図１５を参照すると、本発明の一実施形態による画像表示機器２００は、放送受信部２０５、外部装置インタフェース部２３５、保存部２４０、使用者入力インタフェース部２５０、制御部２７０、ディスプレイ部２８０、音声出力部２８５、及び電源供給部２９０を含んでもよい。
【０４０３】
放送受信部２０５は、チューナ２１０、復調部２２０、及びネットワークインタフェース部２３０を含んでもよい。放送受信部２０５は、チューナ２１０及び復調部２２０と、ネットワークインタフェース部２３０のいずれか一方を備えてもよい。
【０４０４】
チューナ２１０は、アンテナから受信されるＲＦ放送信号のうち、使用者により選択されたチャネル又は既に保存されている全てのチャネルに対応するＲＦ放送信号を選択する。また、チューナ２１０は、選択されたＲＦ放送信号をＩＦ（Intermediate Frequency）信号（中間周波数信号）又はベースバンドの画像もしくは音声信号に変換する。
【０４０５】
例えば、選択されたＲＦ放送信号がデジタル放送信号であれば、デジタルＩＦ（ＤＩＦ）信号に変換し、選択されたＲＦ放送信号がアナログ放送信号であれば、アナログベースバンドの画像もしくは音声（ＣＶＢＳ／ＳＩＦ）信号に変換する。すなわち、チューナ２１０は、デジタル放送信号又はアナログ放送信号を処理することができる。チューナ２１０から出力されるアナログベースバンドの画像もしくは音声（ＣＶＢＳ／ＳＩＦ）信号は、制御部２７０に直接入力されるようにしてもよい。
【０４０６】
また、チューナ２１０は、ＡＴＳＣ（Advanced Television System Committee）方式によるシングルキャリアのＲＦ放送信号、又はＤＶＢ（Digital Video Broadcasting）方式によるマルチキャリアのＲＦ放送信号を受信する。
【０４０７】
一方、チューナ２１０は、アンテナから受信されるＲＦ放送信号のうち、チャネル記憶機能により保存されている全ての放送チャネルのＲＦ放送信号を順次選択し、これをＩＦ信号又はベースバンドの画像もしくは音声信号に変換する。復調部２２０は、チューナ２１０により変換されたデジタルＩＦ信号を受信して復調動作を行う。
【０４０８】
例えば、チューナ２１０から出力されるデジタルＩＦ信号がＡＴＳＣ方式の場合、復調部２２０は、８−ＶＳＢ（8-Vestigial Side Band）復調を行う。また、復調部２２０は、チャネル復号化を行うようにしてもよい。このために、復調部２２０は、トレリスデコーダ（Trellis Decoder）、デインターリーバ、リードソロモンデコーダ（Reed Solomon Decoder）などを備え、トレリス復号化、デインターリーブ、及びソロモン復号化を行う。
【０４０９】
例えば、チューナ２１０から出力されるデジタルＩＦ信号がＤＶＢ方式の場合、復調部２２０は、ＣＯＦＤＭ（Coded Orthogonal Frequency Division Modulation）復調を行う。また、復調部２２０は、チャネル復号化を行うようにしてもよい。このために、復調部２２０は、コンボリューションデコーダ（convolution decoder）、デインターリーバ、リードソロモンデコーダなどを備え、コンボリューション復号化、デインターリーブ、及びソロモン復号化を行う。
【０４１０】
復調部２２０は、復調及びチャネル復号化を行った後、ストリーム信号（ＴＳ）を出力するようにしてもよい。ここで、ストリーム信号は、画像信号、音声信号、又はデータ信号が多重化された信号であってもよい。例えば、ストリーム信号は、ＭＰＥＧ−２規格の画像信号、ドルビーＡＣ−３規格の音声信号などが多重化されたＭＰＥＧ−２ ＴＳ（Transport Stream）であってもよい。具体的には、ＭＰＥＧ−２ ＴＳは、４バイトのヘッダと１８４バイトのペイロードとを含んでもよい。
【０４１１】
一方、復調部２２０は、ＡＴＳＣ方式用とＤＶＢ方式用とを別に備えてもよい。すなわち、復調部２２０は、ＡＴＳＣ復調部とＤＶＢ復調部とから構成してもよい。
【０４１２】
復調部２２０から出力されるストリーム信号は、制御部２７０に入力されるようにしてもよい。制御部２７０は、逆多重化、画像／音声信号処理などを行い、その後、画像をディスプレイ部２８０に出力し、音声を音声出力部２８５に出力する。外部装置インタフェース部２３５は、画像表示機器２００と外部装置とを接続する役割を果たす。
【０４１３】
外部装置インタフェース部２３５は、ＤＶＤ（Digital Versatile Disk）、ブルーレイ（Blu ray）、ゲーム機器、カメラ、カムコーダ、コンピュータ、ノートパソコンなどの外部装置と有線／無線で接続することができる。外部装置インタフェース部２３５は、接続された外部装置により外部から入力される画像、音声、又はデータ信号を制御部２７０に送る。また、外部装置インタフェース部２３５は、制御部２７０で処理された画像、音声、又はデータ信号を接続された外部装置に出力する。このために、外部装置インタフェース部２３５は、Ａ／Ｖ入出力部（図示せず）又は無線通信部（図示せず）を含んでもよい。
【０４１４】
Ａ／Ｖ入出力部は、外部装置の画像及び音声信号を画像表示機器２００に入力できるように、ＵＳＢ端子、ＣＶＢＳ（Composite Video, Blanking, and Sync）端子、コンポーネント端子、Ｓビデオ端子（アナログ）、ＤＶＩ（Digital Visual Interface）端子、ＨＤＭＩ（High Definition Multimedia Interface）端子、ＲＧＢ端子、Ｄ−ＳＵＢ端子などを含んでもよい。
【０４１５】
無線通信部は、他の電子機器と近距離無線通信を行うことができる。画像表示機器２００は、ブルートゥース、ＲＦＩＤ、ＩｒＤＡ、ＵＷＢ、ＺｉｇＢｅｅ、ＤＬＮＡなどの通信規格に準拠して、他の電子機器とネットワーク接続することができる。
【０４１６】
また、外部装置インタフェース部２３５は、Ａ／Ｖ入出力部の各種端子の少なくとも１つを介して様々なセットトップボックスに接続して、セットトップボックスと入出力動作を行うこともできる。
【０４１７】
一方、外部装置インタフェース部２３５は、隣接する外部装置内のアプリケーションもしくはアプリケーションリストを受信し、制御部２７０又は保存部２４０に送ることができる。
【０４１８】
ネットワークインタフェース部２３０は、画像表示機器２００をインターネットなどの有線／無線ネットワークに接続するためのインタフェースを提供する。ネットワークインタフェース部２３０は、有線ネットワークとの接続のために、イーサネット端子などを備え、無線ネットワークとの接続のために、ＷＬＡＮ、Ｗｉ−Ｆｉ、Ｗｉｂｒｏ、ＷｉＭＡＸ、ＨＳＤＰＡなどの通信規格を用いるようにしてもよい。
【０４１９】
ネットワークインタフェース部２３０は、ネットワークを介して、所定のウェブページにアクセスすることができる。すなわち、ネットワークインタフェース部２３０は、ネットワークを介して所定のウェブページにアクセスし、該当サーバとデータを送受信することができる。また、ネットワークインタフェース部２３０は、コンテンツプロバイダ又はネットワーク運営者が提供するコンテンツ又はデータを受信することができる。すなわち、ネットワークインタフェース部２３０は、ネットワークを介してコンテンツプロバイダ又はネットワーク運営者から提供される映画、広告、ゲーム、ＶＯＤ、放送信号などのコンテンツ及びそれに関する情報を受信することができる。さらに、ネットワークインタフェース部２３０は、ネットワーク運営者が提供するファームウェアのアップデート情報及びアップデートファイルを受信することができる。さらに、ネットワークインタフェース部２３０は、インターネットもしくはコンテンツプロバイダ又はネットワーク運営者にデータを送信することができる。
【０４２０】
さらに、ネットワークインタフェース部２３０は、ネットワークを介して、公衆に公開されたアプリケーションのうち所望のアプリケーションを選択して受信することができる。
【０４２１】
保存部２４０は、制御部２７０内の各信号処理及び制御のためのプログラムを保存することもでき、信号処理された画像、音声、又はデータ信号を保存することもできる。
【０４２２】
また、保存部２４０は、外部装置インタフェース部２３５又はネットワークインタフェース部２３０から入力される画像、音声、又はデータ信号の一時保存のための機能を果たす。さらに、保存部２４０は、チャネル記憶機能により、所定の放送チャネルに関する情報を保存することもできる。
【０４２３】
さらに、保存部２４０は、外部装置インタフェース部２３５又はネットワークインタフェース部２３０から入力されるアプリケーションもしくはアプリケーションリストを保存することもできる。
【０４２４】
保存部２４０は、フラッシュメモリタイプ、ハードディスクタイプ、マルチメディアカードマイクロタイプ、カードタイプのメモリ（例えば、ＳＤ又はＸＤメモリなど）、ＲＡＭ、ＲＯＭ（ＥＥＰＲＯＭなど）の少なくとも１つのタイプの記憶媒体を含む。画像表示機器２００は、保存部２４０に保存されているコンテンツファイル（動画像ファイル、静止画像ファイル、音楽ファイル、文書ファイル、アプリケーションファイルなど）を再生して使用者に提供することができる。
【０４２５】
図１５は保存部２４０が制御部２７０とは別に備えられた実施形態を示すが、本発明の範囲はこれに限定されない。保存部２４０は、制御部２７０内に含まれるようにしてもよい。
【０４２６】
使用者入力インタフェース部２５０は、使用者が入力した信号を制御部２７０に伝達したり、制御部２７０からの信号を使用者に伝達する。
【０４２７】
例えば、使用者入力インタフェース部２５０は、ＲＦ通信や赤外線（ＩＲ）通信などの様々な通信方式で、遠隔制御装置４００から電源のオン／オフ、チャネルの選択、画面の設定などの使用者の入力信号又は制御信号を受信して処理したり、制御部２７０からの制御信号を処理して遠隔制御装置４００に送信する。
【０４２８】
また、使用者入力インタフェース部２５０は、電源キー、チャネルキー、ボリュームキー、設定値などのローカルキー（図示せず）により入力される使用者の入力信号又は制御信号を制御部２７０に伝達する。
【０４２９】
さらに、使用者入力インタフェース部２５０は、使用者のジェスチャーを感知する感知部（図示せず）から入力される使用者の入力信号又は制御信号を制御部２７０に伝達したり、制御部２７０からの信号を感知部に伝達する。ここで、感知部は、タッチセンサ、音声センサ、位置センサ、動作センサの少なくとも１つを備えてもよい。
【０４３０】
制御部２７０は、チューナ２１０、復調部２２０、又は外部装置インタフェース部２３５を介して入力されるストリーム信号を逆多重化したり、逆多重化された信号を処理し、画像又は音声を出力するための信号を生成及び出力する。
【０４３１】
制御部２７０で画像処理された画像信号は、ディスプレイ部２８０に入力し、画像信号に対応する画像として表示することができる。また、制御部２７０で画像処理された画像信号は、外部装置インタフェース部２３５を介して外部出力装置に入力することもできる。
【０４３２】
制御部２７０で処理された音声信号は、音声出力部２８５から音として出力することができる。また、制御部２７０で処理された音声信号は、外部装置インタフェース部２３５を介して外部出力装置に入力することもできる。
【０４３３】
図示していないが、制御部２７０は、逆多重化部、画像処理部などを含んでもよい。
制御部２７０は、画像表示機器２００の全般的な動作を制御する。例えば、制御部２７０は、チューナ２１０を制御して、使用者が選択したチャネル又は既に保存されているチャネルに対応するＲＦ放送を選択（チューニング）させる。
【０４３４】
また、制御部２７０は、使用者入力インタフェース部２５０を介して入力された使用者命令又は内部プログラムにより、画像表示機器２００を制御する。特に、ネットワークに接続して、使用者が希望するアプリケーションもしくはアプリケーションリストを画像表示機器２００内にダウンロードできるようにする。
【０４３５】
例えば、制御部２７０は、チューナ２１０を制御して、使用者入力インタフェース部２５０を介して受信した所定のチャネル選択命令により選択したチャネルの信号が入力されるようにする。また、制御部２７０は、選択したチャネルの画像、音声、又はデータ信号を処理する。さらに、制御部２７０は、使用者が選択したチャネル情報などが、処理した画像もしくは音声信号と共に、ディスプレイ部２８０又は音声出力部２８５から出力されるようにする。
【０４３６】
他の例として、制御部２７０は、使用者入力インタフェース部２５０を介して受信した外部装置の画像再生命令により、外部装置インタフェース部２３５を介して入力される外部装置（例えば、カメラ又はカムコーダ）からの画像もしくは音声信号がディスプレイ部２８０又は音声出力部２８５から出力されるようにする。
【０４３７】
一方、制御部２７０は、画像を表示するようにディスプレイ部２８０を制御する。例えば、制御部２７０は、チューナ２１０から入力される放送画像、外部装置インタフェース部２３５を介して入力される外部入力画像、ネットワークインタフェース部２３０を介して入力される画像、又は保存部２４０に保存されている画像をディスプレイ部２８０に表示するように制御する。ここで、ディスプレイ部２８０に表示される画像は、静止画像又は動画像でもよく、２Ｄ画像又は３Ｄ画像でもよい。
【０４３８】
また、制御部２７０は、アプリケーション一覧表示において、画像表示機器２００内のアプリケーションもしくはアプリケーションリスト、又は外部ネットワークからダウンロード可能なアプリケーションもしくはアプリケーションリストを表示するように制御する。
【０４３９】
さらに、制御部２７０は、様々なユーザインタフェースと共に、外部ネットワークからダウンロードされるアプリケーションをインストールして駆動するように制御する。さらに、制御部２７０は、使用者の選択により、実行されるアプリケーションに関連する画像がディスプレイ部２８０に表示されるように制御する。
【０４４０】
一方、画像表示機器２００は、チャネル信号又は外部入力信号に対応するサムネイル画像を生成するチャネルブラウジング処理部（図示せず）をさらに含んでもよい。チャネルブラウジング処理部は、復調部２２０から出力されたストリーム信号又は外部装置インタフェース部２３５から出力されたストリーム信号などが入力され、入力されたストリーム信号から画像を抽出してサムネイル画像を生成する。生成されたサムネイル画像は、そのまま制御部２７０に入力されるようにしてもよく、符号化して制御部２７０に入力されるようにしてもよい。また、生成されたサムネイル画像は、ストリーム形式に符号化して制御部２７０に入力されるようにしてもよい。この場合、制御部２７０は、入力されたサムネイル画像を用いて複数のサムネイル画像を含むサムネイルリストをディスプレイ部２８０に表示するようにする。サムネイルリストのサムネイル画像は、順次アップデートされるようにしてもよく、同時にアップデートされるようにしてもよい。これにより、使用者は複数の放送チャネルの内容を容易に把握することができる。
【０４４１】
ディスプレイ部２８０は、制御部２７０で処理された画像信号、データ信号、ＯＳＤ信号、又は外部装置インタフェース部２３５を介して受信される画像信号、データ信号などをそれぞれＲＧＢ信号に変換して駆動信号を生成する。
【０４４２】
ディスプレイ部２８０は、ＰＤＰ、ＬＣＤ、ＯＬＥＤ、フレキシブルディスプレイ、３次元ディスプレイなどを含む。
【０４４３】
また、ディスプレイ部２８０は、タッチスクリーンで構成することにより、出力装置としてだけでなく、入力装置として使用できるようにしてもよい。
【０４４４】
音声出力部２８５は、制御部２７０で音声処理された信号、例えば、ステレオ信号、３．１チャネル信号、又は５．１チャネル信号が入力され、入力された信号を音声として出力する。音声出力部２８５は、様々なタイプのスピーカで実現してもよい。
【０４４５】
一方、画像表示機器２００は、使用者を撮影する撮影部（図示せず）をさらに含んでもよい。撮影部は、１つのカメラで実現してもよく、複数のカメラで実現してもよい。撮影部で撮影された画像情報は制御部２７０に入力される。
【０４４６】
一方、画像表示機器２００は、使用者のジェスチャーを感知するために、前述したようにタッチセンサ、音声センサ、位置センサ、動作センサの少なくとも１つを備える感知部（図示せず）をさらに含んでもよい。感知部で感知された信号は、使用者入力インタフェース部２５０を介して制御部２７０に伝達されるようにしてもよい。
【０４４７】
制御部２７０は、撮影部で撮影された画像、及び感知部で感知された信号のそれぞれ又は組み合わせにより、使用者のジェスチャーを感知する。
【０４４８】
電源供給部２９０は、画像表示機器２００の全般にわたって電源を供給する。特に、電源供給部２９０は、システムオンチップ（System On Chip; SOC）の形で実現できる制御部２７０、画像表示のためのディスプレイ部２８０、及び音声出力のための音声出力部２８５に電源を供給する。
【０４４９】
このために、電源供給部２９０は、交流電源を直流電源に変換するコンバータ（図示せず）を備えてもよい。一方、例えばディスプレイ部２８０が複数のバックライトランプを備える液晶パネルで実現される場合、電源供給部２９０は、輝度可変又は調光（dimming）駆動のために、ＰＷＭ動作が可能なインバータ（図示せず）をさらに備えてもよい。
【０４５０】
遠隔制御装置４００は、使用者の入力を使用者入力インタフェース部２５０に送信する。このために、遠隔制御装置４００は、ブルートゥース、ＲＦ通信、赤外線（ＩＲ）通信、ＵＷＢ、ＺｉｇＢｅｅ方式などを用いる。
【０４５１】
また、遠隔制御装置４００は、使用者入力インタフェース部２５０から送信された画像、音声、又はデータ信号などを受信し、これを遠隔制御装置４００に表示したり、音声又は振動を発生するようにしてもよい。
【０４５２】
前述した画像表示機器２００は、固定型であって、ＡＴＳＣ方式（８−ＶＳＢ方式）のデジタル放送、ＤＶＢ−Ｔ方式（ＣＯＦＤＭ方式）のデジタル放送、ＩＳＤＢ−Ｔ方式（ＢＳＴ−ＯＦＤＭ方式）のデジタル放送などの少なくとも１つのデジタル放送を受信できるデジタル放送受信機であってもよい。
【０４５３】
なお、図１５のブロック図に示す画像表示機器２００は、本発明の一実施形態にすぎず、実際に実現すべき画像表示機器の仕様に応じて、画像表示機器２００の各構成要素を統合、追加、又は省略してもよい。すなわち、必要に応じて、２つ以上の構成要素をまとめて１つの構成要素にしてもよく、１つの構成要素を細分化して２つ以上の構成要素にしてもよい。また、各ブロックで実行される機能は、本発明の実施形態を説明するためのものであり、その具体的な装置や動作が本発明の権利範囲を制限するものではない。
【０４５４】
また、本発明による画像表示機器は、図１５のブロック図に示す画像表示機器２００とは異なり、ディスプレイ部２８０及び音声出力部２８５を備えず、無線通信でディスプレイ部２８０及び音声出力部２８５とデータを送受信するワイヤレスタイプにしてもよい。
【０４５５】
さらに、本発明による画像表示機器は、図１５のブロック図に示す画像表示機器２００とは異なり、チューナ２１０及び復調部２２０を備えず、ネットワークインタフェース部２３０又は外部装置インタフェース部２３５を介して画像コンテンツを受信して再生するようにしてもよい。
【０４５６】
さらに、本発明による画像表示機器は、外部の音を録音して音声ファイルとして保存する録音機能部（図示せず）と、音に含まれる音声を音声テキスト変換に基づいてテキストに変換する変換部（図示せず）とを含んでもよい。この場合、制御部２７０は、テキストから核心キーワードを検出し、検出された核心キーワードを音声ファイルのファイル名の少なくとも一部として設定するようにしてもよい。また、制御部２７０は、本明細書に開示された第１〜第７実施形態の動作を行うようにしてもよい。
【０４５７】
他方、前述した本発明の実施形態による移動端末機１００の機能は、後述する冷蔵庫において実現することもできる。以下、本発明の実施形態による移動端末機１００の動作制御機能を備えた冷蔵庫について図１６を参照して説明する。
【０４５８】
図１６は本発明の一実施形態による電子機器が冷蔵庫である場合、冷蔵庫に含まれるディスプレイ制御部及び本体制御部を示すブロック図である。
【０４５９】
図１６を参照すると、本発明の一実施形態による冷蔵庫のディスプレイ制御部３３０には、ディスプレイ部３１０、通信部３３１、入力部３２０、ディスプレイメモリ部３３３、音声認識部３３５、及び音声出力部３３９が接続される。ディスプレイ制御部３３０は、ディスプレイ部３１０、通信部３３１、入力部３２０、ディスプレイメモリ部３３３、音声認識部３３５、及び音声出力部３３９の動作を制御する。
【０４６０】
通信部３３１は、放送局又は基地局から画像データやＤＭＢデータを受信し、ディスプレイ部３１０又は／及び音声出力部３３９から出力されるようにする。また、通信部３３１は、ディスプレイ制御部３３０の制御により、ネットワークを介してサーバ又は外部端末機に接続されてデータを送受信する。例えば、通信部３３１は、ディスプレイ制御部３３０からテキストクエリを受信してサーバ又は外部端末機に送信し、サーバ又は外部端末機は、検索エンジンによるテキストクエリの検索結果を通信部３３１に送信する。また、通信部３３１は、サーバ又は外部端末機から受信したテキストクエリの検索結果をディスプレイ制御部３３０に送ることにより、テキストクエリの検索結果がディスプレイ部３１０又は／及び音声出力部３３９から出力されるようにする。
【０４６１】
音声認識部３３５は、使用者の音声を入力するための音声入力部３３６と、音声入力部３３６に入力された使用者の音声を音声周波数に変換するコンバータ３３７とを含んでもよい。コンバータ３３７は、使用者の音声周波数をデジタル信号に変換し、ディスプレイ制御部３３０に送る。ディスプレイ制御部３３０は、コンバータ３３７から送られたデジタル信号をディスプレイメモリ部３３３に保存する。
【０４６２】
ディスプレイメモリ部３３３には、冷蔵庫に貯蔵されている食品の名称に対応して音声出力部３３９から出力される音声情報が予め保存される。食品の名称に関する音声情報は、冷蔵庫の製作時にディスプレイメモリ部３３３に予め保存されるようにしてもよい。
【０４６３】
ディスプレイ制御部３３０には、本体制御部３４０が接続される。本体制御部３４０には、本体メモリ部３４１が接続されてもよい。本体メモリ部３４１には、冷蔵庫の機能に関するデータが予め保存される。
【０４６４】
本発明の一実施形態による冷蔵庫は、外部の音を録音して音声ファイルとして保存する録音機能部（図示せず）、音に含まれる音声を音声テキスト変換に基づいてテキストに変換する変換部（図示せず）などをさらに含む。本体制御部３４０又はディスプレイ制御部３３０は、テキストから核心キーワードを検出し、検出された核心キーワードを音声ファイルのファイル名の少なくとも一部として設定する。あるいは、本発明の一実施形態による冷蔵庫は、本明細書に開示された第１〜第７実施形態の動作を行う制御部を別途備えてもよい。
【０４６５】
本明細書に開示された一実施形態によれば、前述した方法は、プログラム記録媒体にプロセッサ可読コードとして実現することができる。プロセッサ可読媒体としては、ＲＯＭ、ＲＡＭ、ＣＤ−ＲＯＭ、磁気テープ、フロッピーディスク、光データ記憶装置などがあり、搬送波（例えば、インターネットを介した送信）の形で実現してもよい。
【０４６６】
本発明による移動端末機、画像表示機器、及び冷蔵庫は、上記実施形態の構成と方法に限定されるものではなく、各実施形態の全部又は一部を選択的に組み合わせて構成することで様々に変形することができる。
【０４６７】
以上、本明細書に開示された実施形態を添付図面を参照して説明した。ここで、本明細書及び特許請求の範囲に使用された用語や単語は、通常の意味又は辞書的な意味に限定して解釈されてはならず、本発明の技術的思想に符合する意味と概念で解釈されるべきである。
【０４６８】
よって、本明細書に開示された実施形態及び図面に示す構成は、本発明の一実施形態にすぎず、本発明の技術的思想の全てを代弁するものではないので、本出願時点においてこれらを代替できる様々な均等物と変形例があり得ることを理解すべきである。
【符号の説明】
【０４６９】
１００    移動端末機
１２３    録音機能部
１２４    変換部
１５１    ディスプレイ部
１８０    制御部
２００    画像表示機器
２０５    放送受信部
２３５    外部装置インタフェース部
２４０    保存部
２５０    使用者入力インタフェース部
２７０    制御部
２８０    ディスプレイ部
２８５    音声出力部
２９０    電源供給部
３１０    ディスプレイ部
３２０    入力部
３３０    ディスプレイ制御部
３３１    通信部
３３３    ディスプレイメモリ部
３３５    音声認識部
３３９    音声出力部
３４０    本体制御部
３４１    本体メモリ部
【図１】
0005563650.tif 000002
【図２】
0005563650.tif 000003
【図３Ａ】
0005563650.tif 000004
【図３Ｂ】
0005563650.tif 000005
【図３Ｃ】
0005563650.tif 000006
【図３Ｄ】
0005563650.tif 000007
【図４Ａ】
0005563650.tif 000008
【図４Ｂ】
0005563650.tif 000009
【図４Ｃ】
0005563650.tif 000010
【図４Ｄ】
0005563650.tif 000011
【図５Ａ】
0005563650.tif 000012
【図５Ｂ】
0005563650.tif 000013
【図５Ｃ】
0005563650.tif 000014
【図５Ｄ】
0005563650.tif 000015
【図６Ａ】
0005563650.tif 000016
【図６Ｂ】
0005563650.tif 000017
【図６Ｃ】
0005563650.tif 000018
【図６Ｄ】
0005563650.tif 000019
【図６Ｅ】
0005563650.tif 000020
【図６Ｆ】
0005563650.tif 000021
【図６Ｇ】
0005563650.tif 000022
【図７Ａ】
0005563650.tif 000023
【図７Ｂ】
0005563650.tif 000024
【図７Ｃ】
0005563650.tif 000025
【図７Ｄ】
0005563650.tif 000026
【図７Ｅ】
0005563650.tif 000027
【図８Ａ】
0005563650.tif 000028
【図８Ｂ】
0005563650.tif 000029
【図８Ｃ】
0005563650.tif 000030
【図８Ｄ】
0005563650.tif 000031
【図８Ｅ】
0005563650.tif 000032
【図８Ｆ】
0005563650.tif 000033
【図８Ｇ】
0005563650.tif 000034
【図８Ｈ】
0005563650.tif 000035
【図８Ｉ】
0005563650.tif 000036
【図８Ｊ】
0005563650.tif 000037
【図９Ａ】
0005563650.tif 000038
【図９Ｂ】
0005563650.tif 000039
【図９Ｃ】
0005563650.tif 000040
【図９Ｄ】
0005563650.tif 000041
【図９Ｅ】
0005563650.tif 000042
【図９Ｆ】
0005563650.tif 000043
【図１０Ａ】
0005563650.tif 000044
【図１０Ｂ】
0005563650.tif 000045
【図１１Ａ】
0005563650.tif 000046
【図１１Ｂ】
0005563650.tif 000047
【図１１Ｃ】
0005563650.tif 000048
【図１２Ａ】
0005563650.tif 000049
【図１２Ｂ】
0005563650.tif 000050
【図１２Ｃ】
0005563650.tif 000051
【図１２Ｄ】
0005563650.tif 000052
【図１２Ｅ】
0005563650.tif 000053
【図１２Ｆ】
0005563650.tif 000054
【図１２Ｇ】
0005563650.tif 000055
【図１３Ａ】
0005563650.tif 000056
【図１３Ｂ】
0005563650.tif 000057
【図１３Ｃ】
0005563650.tif 000058
【図１４】
0005563650.tif 000059
【図１５】
0005563650.tif 000060
【図１６】
0005563650.tif 000061